(57)【要約】  測定電極と本体間とのケーブル繋ぎのないワイアレスな１２誘導または多数の単極誘導を有する心電システムを提供する。  被検者１５０の心電信号を取得する測定電極と、測定電極に接続して無関電極を形成するウイルソンターミナル１８０と、心電図を生成する心電計本体３００と、を有し、測定電極は心電計本体３００と無線通信により通信するアクティブ測定電極２００Ａ−２００Ｆ、２００Ｈ、２００Ｊと、アクティブ測定電極２００Ａ−２００Ｆ、２００Ｈ、２００Ｊおよびウイルソンターミナル１８０に接続するパッシブ測定電極２００Ｇ、２００Ｉとを有し、心電計本体３００は、アクティブ測定電極２００Ａ−２００Ｆ、２００Ｈ、２００Ｊが送信した誘導信号に基づいて心電図を生成する。
2019163028.tif 000002
【特許請求の範囲】
【請求項１】
被検者の心電信号を取得する測定電極と、
前記測定電極に接続して無関電極を形成するウイルソンターミナルと、
心電図を生成する心電計本体と、を有し、
前記測定電極は前記心電計本体と無線通信により通信するアクティブ測定電極と、前記アクティブ測定電極および前記ウイルソンターミナルに接続するパッシブ測定電極とを有し、
前記心電計本体は、前記アクティブ測定電極が送信した誘導信号に基づいて前記心電図を生成する心電システム。
【請求項２】
前記アクティブ測定電極は、
前記被検者の前記心電信号を取得する貼付電極と、
前記心電信号を処理する制御通信装置と、を一体化したものであり、
前記制御通信装置は、
前記貼付電極および前記ウイルソンターミナルから前記心電信号を入力する入力端子と、
入力した前記心電信号を用いて前記誘導信号を生成する心電図取得ユニットと、
生成した前記誘導信号を無線により外部に送信する無線送信ユニットと、
を有する請求項１に記載の心電システム。
【請求項３】
前記制御通信装置は、
前記パッシブ測定電極から前記心電信号を入力する入力端子をさらに有する、請求項２に記載の心電システム。
【請求項４】
前記パッシブ測定電極は、
前記被検者の前記心電信号を取得する貼付電極と、
前記心電信号を出力する制御通信装置と、を一体化したものであり、
前記制御通信装置は、
前記貼付電極から前記心電信号を入力する入力端子と、
前記入力端子から入力した前記心電信号を前記アクティブ測定電極または前記ウイルソンターミナルに出力する出力端子と、
を有する請求項１に記載の心電システム。
【請求項５】
前記心電図取得ユニットは、
入力した前記心電信号を増幅する増幅部と、
増幅した後の前記心電信号をデジタル信号に変換するＡ／Ｄ変換部と、
デジタル信号に変換した後の前記心電信号を用いて前記誘導信号を演算するＣＰＵと、
を有する請求項２または３に記載の心電システム。
【請求項６】
前記心電計本体は、
前記アクティブ測定電極が送信した前記誘導信号を受信する受信部と、
前記被検者の前記心電図を作成するため、前記アクティブ測定電極の脱落を考慮して不特定多数の人から求めた平均ウエイトを記憶する平均ウエイト記憶部と、
前記被検者の前記心電図を作成するため、前記アクティブ測定電極の前記脱落を考慮して前記被検者から求めた最適ウエイトを記憶する最適ウエイト記憶部と、
前記受信部が受信している前記誘導信号から前記アクティブ測定電極の前記被検者からの前記脱落を認識し、前記最適ウエイト記憶部に前記被検者から取得した前記最適ウエイトがあれば当該最適ウエイトを用いて前記受信部が受信した前記誘導信号を補間し被検者固有の前記心電図を生成する一方、前記最適ウエイト記憶部に前記被検者から取得した前記最適ウエイトがなければ前記平均ウエイト記憶部にある前記平均ウエイトを用いて前記受信部が受信した前記誘導信号を補間し前記被検者の前記心電図を生成する制御部と、
を有する請求項１に記載の心電システム。
【請求項７】
前記平均ウエイト記憶部は、前記アクティブ測定電極の前記脱落のパターン毎に前記平均ウエイトを記憶し、
前記最適ウエイト記憶部は、前記アクティブ測定電極の前記脱落のパターン毎に前記最適ウエイトを記憶し、
前記制御部は、
前記受信部が受信している前記誘導信号から認識した前記脱落のパターンに応じて、前記平均ウエイトまたは前記最適ウエイトを前記平均ウエイト記憶部または前記最適ウエイト記憶部から取得する請求項６に記載の心電システム。
【請求項８】
前記心電計本体は、
前記被検者の少なくとも患者名、性別、年齢などの被検者情報を記憶する被検者情報記憶部をさらに備え、
前記平均ウエイト記憶部は、前記平均ウエイトを前記性別および年代別に記憶し、
前記制御部は、
前記被検者情報を参照して前記最適ウエイト記憶部から前記被検者の前記最適ウエイトを取得するか、または、前記平均ウエイト記憶部から前記被検者の前記性別および年代に適した前記平均ウエイトを取得するかする請求項７に記載の心電システム。
【請求項９】
前記制御部が生成する前記心電図は、１２誘導心電図、４誘導心電図、３誘導心電図、体表面マッピング心電図のいずれかである請求項６に記載の心電システム。
【請求項１０】
前記心電計本体は、前記心電図を表示するディスプレイをさらに有する請求項９に記載の心電システム。
【請求項１１】
前記無線送信ユニットが前記誘導信号を外部に送信するときに用いる無線通信は、電波、赤外線、無線ＬＡＮ、Ｂｌｕｅｔｏｏｔｈ（登録商標）のいずれかにより行われる請求項２に記載の心電システム。
【請求項１２】
前記測定電極は、
前記被検者が前記心電図の測定時に座る椅子の肘掛部と足置部とに配置され、
前記ウイルソンターミナルは、
前記肘掛部の前記測定電極と前記足置部の前記測定電極のそれぞれに接続して前記無関電極を形成する請求項１に記載の心電システム。
【請求項１３】
前記椅子は、リクライニングが可能であり、
前記足置部は、前記リクライニングの角度に応じて前記被検者の足が置き替えられるように、複数の前記足置部が分割して設けられ、
前記測定電極は、前記複数の前記足置部のそれぞれに配置され、
それぞれの前記足置部に配置されている前記測定電極は、前記リクライニングの角度に応じて使用できる前記測定電極が切り替えられる請求項１２に記載の心電システム。
【請求項１４】
前記ウイルソンターミナルは、前記椅子の内部に埋め込まれている請求項１２に記載の心電システム。
【請求項１５】
前記測定電極の取り付け位置を示す取付孔が開口された衣服を有し、
前記測定電極の貼付電極は前記被検者が身につけた前記衣服の前記取付孔内に貼り付けられ、
前記測定電極に接続される前記ウイルソンターミナルは前記衣服に取り付けられ、
前記測定電極は、
前記衣服の前記取付孔内に貼り付けられた貼付電極と、前記被検者が前記心電図の測定時に座る椅子の肘掛部と足置部とに配置され、
前記測定電極と接続されている前記ウイルソンターミナルは、前記椅子の内部に埋め込まれ、
前記衣服の前記ウイルソンターミナルの入力部と前記椅子の前記ウイルソンターミナルの出力部とは信号線を介して接続される請求項１に記載の心電システム。
【請求項１６】
前記椅子は、リクライニング可能であり、
前記足置部は、リクライニングの角度に応じて前記被検者の足が置き替えられるように、複数の前記足置部が分割して設けられ、
前記測定電極は、前記複数の前記足置部のそれぞれに配置され、
それぞれの前記足置部に配置されている前記測定電極は、前記リクライニングの角度に応じて使用できる前記測定電極が切り替えられる請求項１５に記載の心電システム。
【請求項１７】
前記アクティブ測定電極および前記パッシブ測定電極の取り付け位置を示す取付孔が開口された衣服を有し、
前記アクティブ測定電極および前記パッシブ測定電極の前記貼付電極は前記被検者が身につけた前記衣服の前記取付孔内に貼り付けられ、
前記ウイルソンターミナルは前記衣服に取り付けられる請求項２または３に記載の心電システム。
【請求項１８】
前記測定電極と前記ウイルソンターミナルとが埋め込まれるように配置された衣服を有し、
前記衣服に配置された前記測定電極と前記ウイルソンターミナルとは導電繊維糸により相互に接続され、
前記測定電極は、さらに、前記被検者が前記心電図の測定時に座る椅子の肘掛部と足置部とに配置され、
前記測定電極と接続されている前記ウイルソンターミナルは、前記椅子の内部に埋め込まれ、
前記衣服の前記ウイルソンターミナルの入力部と前記椅子の前記ウイルソンターミナルの出力部とは信号線を介して接続される請求項１に記載の心電システム。
【請求項１９】
前記椅子は、リクライニング可能であり、
前記足置部は、リクライニングの角度に応じて前記被検者の足が置き替えられるように、複数の前記足置部が分割して設けられ、
前記測定電極は、前記複数の前記足置部のそれぞれに配置され、
それぞれの前記足置部に配置されている前記測定電極は、前記リクライニングの角度に応じて使用できる前記測定電極が切り替えられる請求項１８に記載の心電システム。
【請求項２０】
生体に貼り付け前記生体の心電信号を取得する貼付電極と、
前記貼付電極から取得した前記心電信号を処理する制御通信装置と、を有し、
前記制御通信装置は、
前記貼付電極および外部から前記心電信号を入力する入力端子と、
入力した前記心電信号を用いて誘導信号を生成する心電図取得ユニットと、
生成した前記誘導信号を無線通信により外部に送信する無線送信ユニットと、
を有する心電測定電極。
【請求項２１】
前記心電図取得ユニットは、
入力した前記心電信号を増幅する増幅部と、
増幅した後の前記心電信号をデジタル信号に変換するＡ／Ｄ変換部と、
前記デジタル信号に変換した後の前記心電信号を用いて前記誘導信号を演算するＣＰＵと、
を有する請求項２０に記載の心電測定電極。
【請求項２２】
前記貼付電極は、
前記制御通信装置の前記入力端子を電気的に接続する接続部と、
前記接続部に取り付けた電極板と、
前記電極板の表面に形成した粘着性を有する導電ゲルと、
を有する請求項２０に記載の心電測定電極。
【請求項２３】
前記貼付電極は、
前記制御通信装置の前記入力端子を電気的に接続する接続部と、
前記接続部に取り付けた電極板と、
前記電極板と接続される導電繊維布状電極と、
を有する請求項２０に記載の心電測定電極。
【請求項２４】
前記貼付電極の前記接続部は凸形状であり、
前記制御通信装置の前記入力端子は凹形状であり、
前記貼付電極と前記制御通信装置とは、前記凸形状の前記接続部と前記凹形状の前記入力端子とを勘合させることによって電気的に接続される請求項２２または２３に記載の心電測定電極。
【請求項２５】
前記制御通信装置は、
前記入力端子から入力した前記心電信号を外部に出力する出力端子を有する請求項２０に記載の心電測定電極。
【請求項２６】
前記制御通信装置は、
他の前記制御通信装置の前記出力端子に接続するアース端子を有する請求項２５に記載の心電測定電極。
【請求項２７】
前記無線送信ユニットが前記誘導信号を外部に送信するときに用いる前記無線通信は、電波、赤外線、無線ＬＡＮ、Ｂｌｕｅｔｏｏｔｈ（登録商標）のいずれかにより行われる請求項２０に記載の心電測定電極。
【請求項２８】
被検者の胸部と四肢の心電信号を取得する段階と、
被検者の四肢の心電信号の内、右腕、左腕、左足の心電信号から無関電極の電位を生成する段階と、
胸部の心電信号の電位と無関電極の電位とから求めた胸部の誘導信号を無線通信により送信する段階と、
四肢の心電信号の電位から求めた四肢の誘導信号を無線通信により送信する段階と、送信された胸部の誘導信号と四肢の誘導信号とに基づいて心電図を生成する段階と、
を含む心電測定方法。
【請求項２９】
被検者の胸部と四肢の心電信号を取得する段階と、
被検者の四肢の心電信号の内、右鎖骨上、左鎖骨下、左前腸骨棘または左肋骨弓下端部の心電信号から無関電極の電位を生成する段階と、
胸部の心電信号の電位と無関電極の電位とから求めた胸部の誘導信号を無線通信により送信する段階と、
四肢の心電信号の電位から求めた四肢の誘導信号を無線通信により送信する段階と、
送信された胸部の誘導信号と四肢の誘導信号とに基づいて心電図を生成する段階と、
を含む心電測定方法。
【請求項３０】
前記心電図を生成する段階は、
前記被検者の前記心電図を作成するため、いずれかの測定電極の脱落を考慮して不特定多数の人から求めた平均ウエイト、および、前記被検者の前記心電図を作成するため、いずれかの測定電極の脱落を考慮して前記被検者から求めた最適ウエイトを準備する段階と、
前記被検者の前記最適ウエイトがあれば前記最適ウエイトを用いて被検者固有の前記心電図を生成する一方、前記被検者の前記最適ウエイトがなければ前記平均ウエイトを用いて前記被検者の前記心電図を生成する段階と、
を含む請求項２８または２９に記載の心電測定方法。
【発明の詳細な説明】
【技術分野】
【０００１】
本発明は、心電図を採る心電システム、その心電システムで用いられる心電測定電極、および心電測定方法に関する。
【背景技術】
【０００２】
一般的に、心電図としては、業界の標準として１２誘導心電図が用いられる。１２誘導心電図を採る場合、被検者がベッドに横たわり、測定者によって両手首、両足首の４か所に四肢の誘導測定用の測定電極が取り付けられ、胸部の６か所に胸部の誘導測定用の測定電極が取り付けられる。【０００３】
このように、１２誘導心電図を採るためには、測定者が測定電極を被検者の体の所定の１０か所に正確に取り付ける必要がある。各測定電極と心電計本体とには、長く、太く、重たいケーブルを繋がなければならない。したがって心電計の小型化には限りがある。また、心電計を病院外へ持ち出す場合不便が多く、病院内でも心電図室から病室までの移動も煩わしい。【０００４】
また、測定者はケーブルの取り回しが煩わしく、被験者が自らの心電図の測定電極の取り付けが困難なため、今までは１２誘導心電図の測定はほぼ病院などの医療機関で行うしかない。在宅医療などのための１２誘導心電図の応用は難しい。【０００５】
また、近年では、小型化され、使い勝手の良いワイアレス心電計が開発される。下記特許文献１に記載されているのが一例である。しかし、この心電計の構成は双極誘導心電図を記録する心電計であり、心拍の異常などをモニタリングために応用する心電計である。このため、１２誘導心電図を検査することはできず、標準心電図診断には適用できない。今までは１２誘導心電図をワイアレスで測定できる心電計は存在しない。
【先行技術文献】
【特許文献】
【０００６】
【特許文献１】特開２０１５−２００５０号公報
【発明の概要】
【発明が解決しようとする課題】
【０００７】
本発明は、標準１２誘導心電図、Ｍａｓｏｎ−Ｌｉｋａｒ誘導法を利用する１２誘導心電図、体表面電位図（マッピング）などの心電図測定に対して、測定電極と本体間とのケーブル繋ぎのないワイアレスな心電システム、心電測定電極、心電測定方法を提供することを目的とする。
【課題を解決するための手段】
【０００８】
上記目的を達成するための本発明に係る心電システムは、測定電極、ウイルソンターミナル、心電計本体を有する。測定電極は被検者の心電信号を取得する。測定電極は心電計本体と無線通信により通信するアクティブ測定電極とアクティブ測定電極および前記ウイルソンターミナルに接続するパッシブ測定電極とを有する。ウイルソンターミナルは測定電極に接続して無関電極を形成する。心電計本体はアクティブ測定電極が送信した誘導信号に基づいて心電図を生成する。【０００９】
アクティブ測定電極およびパッシブ測定電極は、貼付電極と制御通信装置とを一体化したものである。アクティブ測定電極の制御通信装置は貼付電極で取得したローカル心電信号と、それと入力端子からの入力信号との差分を無線で送信する機能と、貼り付け電極で取得したローカル心電信号をそのまま出力端子に出力する機能と、を有する。パッシブ測定電極の制御通信装置は、アクティブ測定電極の制御通信装置とは異なり、貼付電極で取得したローカル心電信号をそのまま出力端子に出力するのみの機能を有する。【００１０】
標準１２誘導心電図の場合、左手（ＬＡ）と左足（ＬＬ）にアクティブ測定電極を装着し、右手（ＲＡ）と右足（ＲＬ）にパッシブ測定電極を装着する。ＲＡの出力をＬＡの入力端子に繋ぎ、ＬＡとＲＡとの電位の差を四肢の誘導のＩ誘導として本体へ無線で出力する。ＲＡの出力をＬＬの入力端子に繋ぎ、ＲＡとＬＬとの電位の差を四肢の誘導のＩＩ誘導として本体へ無線で出力する。また、ＬＡ、ＬＬ、ＲＡの出力端子をそれぞれウイルソンターミナルの入力端子に繋ぎ、無関電極を形成する。また、胸部の誘導にアクティブ測定電極を装着し、無関電極の出力端子をぞれぞれの胸部の誘導の入力端子に繋いで、それぞれの胸部の誘導電位と無関電極との電位の差をそれぞれの胸部の誘導として心電計本体へ無線で出力する。【００１１】
上記目的を達成するための本発明に係る測定電極は、貼付電極と制御通信装置とを有する。貼付電極は生体に貼り付け前記生体の心電信号を取得する。制御通信装置は貼付電極から取得した心電信号（ローカル心電信号）を処理する。【００１２】
上記目的を達成するための本発明に係る測定電極は、アクティブ測定電極とパッシブ測定電極とを有する。アクティブ測定電極の制御通信装置は貼付電極で取得したローカル心電信号と、入力端子からの入力信号との差分を無線で送信する機能と、貼り付け電極で取得したローカル心電信号をそのまま出力端子に出力する機能と、を有する。パッシブ測定電極の制御通信装置は貼付電極で取得したローカル心電信号をそのまま出力端子に出力するのみの機能を有する。アクティブ測定電極の制御通信装置は、入力端子、心電図取得ユニット、無線送信ユニットを有する。入力端子は貼付電極および外部から心電信号を入力する。心電図取得ユニットは入力した心電信号を用いて誘導信号を生成する。無線送信ユニットは生成した誘導信号を無線通信により外部に送信する。パッシブ測定電極の制御通信装置は、入力端子および出力端子を有する。入力端子と出力端子とは電気的に接続されており、入力端子から入力された心電信号は出力端子から出力される。【００１３】
さらに、上記目的を達成するための本発明に係る心電測定方法は、被検者の胸部と四肢の心電信号を取得する段階と、被検者の四肢の心電信号の内、右腕、左腕、左足の心電信号から無関電極の電位を生成する段階と、胸部の心電信号の電位と無関電極の電位とから求めた胸部の誘導信号を無線通信により送信する段階と、四肢の心電信号の電位から求めた四肢の誘導信号を無線通信により送信する段階と、送信された胸部の誘導信号と四肢の誘導信号とに基づいて心電図を生成する段階と、を含む。【００１４】
さらに、上記目的を達成するための本発明に係る心電測定方法は、被検者の胸部と四肢の心電信号を取得する段階と、被検者の四肢の心電信号の内、右鎖骨上、左鎖骨下、左前腸骨棘または左肋骨弓下端部の心電信号から無関電極の電位を生成する段階と、胸部の心電信号の電位と無関電極の電位とから求めた胸部の誘導信号を無線通信により送信する段階と、四肢の心電信号の電位から求めた四肢の誘導信号を無線通信により送信する段階と、送信された胸部の誘導信号と四肢の誘導信号とに基づいて心電図を生成する段階と、を含む。
【発明の効果】
【００１５】
本発明に係る心電システム、心電測定電極、および心電測定方法によれば、１２誘導心電図をはじめとした、体表面上の多数の単極誘導が必要な心電計において、測定電極より取得した体表面心臓電位誘導信号を心電計に必要な誘導信号に変換し、それを無線通信によって送信できる。したがって、測定電極と心電計本体間にケーブルを繋ぐ必要がなくなり、測定電極の取り回しが良くなるため、被検者の心電図が容易に採れる一方、心電図の応用が著しく広がる。
【図面の簡単な説明】
【００１６】
【図１】図１は、心電システムの構成図である。（実施例１）
【図２Ａ】図２Ａは、アクティブ測定電極の外観図である。（実施例１）
【図２Ｂ】図２Ｂは、パッシブ測定電極の外観図である。（実施例１）
【図３Ａ】図３Ａは、アクティブおよびパッシブ測定電極を構成する貼付電極の側面図である。（実施例１）
【図３Ｂ】図３Ｂは、アクティブおよびパッシブ測定電極を構成する貼付電極の底面図である。（実施例１）
【図４】図４は、アクティブ測定電極を構成する制御通信装置のブロック図である。（実施例１）
【図５】図５は、図４に示す心電図取得ユニットのブロック図である。（実施例１）
【図６】図６は、図１の心電システムを構成するアクティブおよびパッシブ測定電極の接続図である。（実施例１）
【図７】図７は、心電計本体の外観図である。（実施例１）
【図８】図８は、心電計本体の制御系のブロック図である。（実施例１）
【図９】図９は、平均ウエイト記憶部が記憶する平均ウエイトの一例である。（実施例１）
【図１０】図１０は、最適ウエイト記憶部が記憶する最適ウエイトの一例である。（実施例１）
【図１１】図１１は、心電計本体の制御部の動作フローチャートである。（実施例１）
【図１２】図１２は、脱落誘導ウエイト検索の手順を示すフローチャートである。（実施例１）
【図１３】図１３は、平均ウエイトの作成手順を示すフローチャートである。（実施例１）
【図１４】図１４は、最適ウエイトの作成手順を示すフローチャートである。（実施例１）
【図１５】図１５は、実施例１に係る心電システムの変形例を示す図である。
【図１６】図１６は、心電システムの構成図である。（実施例２）
【図１７Ａ】図１７Ａは、アクティブ測定電極の外観図である。（実施例２）
【図１７Ｂ】図１７Ｂは、パッシブ測定電極の外観図である。（実施例２）
【図１８】図１８は、実施例２に係る心電システムの変形例を示す図である。
【図１９】図１９は、図１８の心電システムを構成する測定電極の接続図である。
【図２０】図２０は、実施例２に係る心電システムの他の変形例を示す図である。
【図２１】図２１は、図２０の心電システムを構成する測定電極の接続図である。
【図２２】図２２は、心電システムを構成する衣服の構成図である。（実施例３）
【図２３】図２３は、衣服の取付孔を利用して胸部および四肢の測定電極を取り付けた状態を示す図である。（実施例３）
【図２４】図２４は、実施例３に係る心電システムの変形例を示す図である。
【図２５】図２５は、心電システムの構成図である。（実施例４）
【図２６】図２６は、実施例４に係る心電システムの変形例を示す図である。
【図２７】図２７は、実施例４およびその変形例に係る心電システムの測定イメージを示す図である。
【図２８】図２８は、心電システムの構成図である。（実施例５）
【図２９】図２９は、図２８の心電システムを構成する測定電極の接続図である。
【図３０】図３０は、心電システムを構成する衣服の構成図である。（実施例６）
【図３１Ａ】図３１Ａは、アクティブおよびパッシブ測定電極を構成する貼付電極の側面図である。（実施例６）
【図３１Ｂ】図３１Ｂは、アクティブおよびパッシブ測定電極を構成する貼付電極の底面図である。（実施例６）
【図３２】図３２は、衣服の内側に胸部および四肢の測定電極を取り付けた状態を示す図である。（実施例６）
【図３３】図３３は、実施例６に係る心電システムの変形例を示す図である。
【図３４】図３４は、心電システムの構成図である。（実施例７）
【図３５】図３５は、実施例７に係る心電システムの変形例を示す図である。
【図３６】図３６は、心電システムの構成図である。（実施例８）
【発明を実施するための形態】
【００１７】
次に、本発明に係る心電システム、測定電極、および心電測定方法を、［実施例１］から［実施例８］に分けて、図面を参照しながら詳細に説明する。
【実施例１】
【００１８】
（心電システムの全体構成）
図１は、実施例１に係る心電システムの構成図である。実施例１では、１２誘導心電図を採る場合を例示して説明する。【００１９】
図１に示すように、実施例１に係る心電システム１００において１２誘導心電図を採る場合、まず、生体としての被検者１５０がベッド１７０に横たわる。次に、測定者によって被検者１５０の両手首、両足首の４か所に、被検者１５０の四肢の心電信号を取得するアクティブ測定電極２００Ｈ、２００Ｊ、パッシブ測定電極２００Ｇ、２００Ｉを取り付ける。さらに、被検者１５０の胸部の６か所に、被検者１５０の胸部の心電信号を取得するアクティブ測定電極２００Ａ、２００Ｂ、２００Ｃ、２００Ｄ、２００Ｅ、２００Ｆを取り付ける。なお、被検者１５０の右腕、左腕、左足にそれぞれ取り付ける、パッシブ測定電極２００Ｇおよびアクティブ測定電極２００Ｈ、２００Ｊに接続して無関電極を形成するウイルソンターミナル１８０を設けている。ウイルソンターミナル１８０は、測定の邪魔にならないように、ベッド１７０内に配置される。ウイルソンターミナル１８０の入力部にパッシブ測定電極２００Ｇ、アクティブ測定電極２００Ｈ、２００Ｊが接続され、ウイルソンターミナル１８０の出力部にアクティブ測定電極２００Ａ、２００Ｂ、２００Ｃ、２００Ｄ、２００Ｅ、２００Ｆが接続される。ウイルソンターミナル１８０の入力部とパッシブ測定電極２００Ｇ、アクティブ測定電極２００Ｈ、２００Ｊとは信号線によって接続されるが、この信号線も測定の邪魔にならないように、ベッド１７０内に配置される。図１では、ベッド１７０内に配置されるこれらの信号線を点線で示している。【００２０】
アクティブ測定電極２００Ｈ、２００Ｊは、パッシブ測定電極２００Ｇ、２００Ｉおよびアクティブ測定電極２００Ｈ、２００Ｊが取得した四肢の心電信号の電位から求めた誘導信号を無線通信により送信する。なお、パッシブ測定電極２００Ｇ、２００Ｉは、アクティブ測定電極２００Ｈ、２００Ｊとは異なり、誘導信号を無線通信により送信する機能は有していない。また、アクティブ測定電極２００Ａ、２００Ｂ、２００Ｃ、２００Ｄ、２００Ｅ、２００Ｆは、アクティブ測定電極２００Ａ、２００Ｂ、２００Ｃ、２００Ｄ、２００Ｅ、２００Ｆがそれぞれ取得した心電信号の電位とウイルソンターミナル１８０の無関電極の電位との差から求めた誘導信号を無線通信により送信する。心電計本体３００は、アクティブ測定電極２００Ａ、２００Ｂ、２００Ｃ、２００Ｄ、２００Ｅ、２００Ｆ、２００Ｈ、２００Ｊが送信した誘導信号に基づいて心電図を生成する。【００２１】
（測定電極の構成）
図２Ａは、アクティブ測定電極２００Ａ、２００Ｂ、２００Ｃ、２００Ｄ、２００Ｅ、２００Ｆ、２００Ｈ、２００Ｊの外観図である。【００２２】
アクティブ測定電極２００Ａ−２００Ｆは、被検者１５０の胸部に貼り付けて被検者１５０の胸部のローカル心電信号を取得する貼付電極２５０と、貼付電極２５０から取得したローカル心電信号を処理する制御通信装置２１０とを有する。アクティブ測定電極２００Ｈ、２００Ｊは、被検者１５０の左手首、左足首に取り付けて被検者１５０の四肢のローカル心電信号を取得する貼付電極２５０と、貼付電極２５０から取得したローカル心電信号を処理する制御通信装置２１０とを有する。【００２３】
制御通信装置２１０は、貼付電極２５０からローカル心電信号を入力する凹形状の入力端子２２０、および、外部から心電信号を入力する入力端子２２５を有する。貼付電極２５０は、制御通信装置２１０の入力端子２２０を電気的に接続する凸形状の接続部２６０を有する。入力端子２２０の凹形状と接続部２６０の凸形状はワンタッチで勘合できるように同一の形状を有している。凸形状の接続部２６０を凹形状の入力端子２２０に差し込み、勘合させることによって、入力端子２２０と接続部２６０とは電気的および機械的に堅固に接続され、貼付電極２５０と制御通信装置２１０とが一体化される。制御通信装置２１０の外周部に設けた入力端子２２５は、円柱形状であり、ウイルソンターミナル１８０（図１参照）からの心電信号を入力する。入力端子２２５にはウイルソンターミナル１８０からの信号線が接続される。信号線の接続はプラグやクリップなどの接続具によってワンタッチで行われる。なお、接続具はプラグやクリップに限られない。【００２４】
制御通信装置２１０は、接続部２６０から入力した心電信号を外部に出力する出力端子２３０を有する。また、制御通信装置２１０は、他の制御通信装置２１０の出力端子に接続するアース端子２３５を有する。出力端子２３０とアース端子２３５は制御通信装置２１０の外周部に設けられ、入力端子２２５と同様、円柱形状を有している。なお、本実施例では出力端子２３０とアース端子２３５を円柱形状としているが、もちろんこれ以外の形状であっても良い。【００２５】
図２Ｂは、パッシブ測定電極２００Ｇ、２００Ｉの外観図である。パッシブ測定電極２００Ｇ、２００Ｉは、被検者１５０の心電信号を取得する貼付電極２５０と、貼付電極２５０から取得した心電信号を処理する制御通信装置２１０ａとを有する。パッシブ測定電極２００Ｇ、２００Ｉは、被検者１５０の右手首、右足首に取り付けられる（図１参照）。【００２６】
出力端子２３０は、入力端子２２０からのローカル心電信号を他のアクティブ測定電極２００Ｈ、２００Ｊに出力するための端子である。また、出力端子２３２は、入力端子２２０からのローカル心電信号をウイルソンターミナル１８０（図１参照）に出力するための端子である。出力端子２３０には、他のアクティブ測定電極２００Ｈ、２００Ｊの入力端子２２５が、出力端子２３２には、ウイルソンターミナル１８０が、それぞれ信号線によって接続される。信号線の接続はクリップによってワンタッチで行われる。なお、接続具はプラグやクリップに限られない。【００２７】
制御通信装置２１０ａは、制御通信装置２１０には設けられていない出力端子２３２を有する。出力端子２３２は制御通信装置２１０ａの外周部に設けられ、出力端子２３０と同様、円柱形状を有している。なお、出力端子２３２を円柱形状としているが、もちろんこれ以外の形状であっても良い。【００２８】
（貼付電極の構成）
図３Ａは、アクティブおよびパッシブ測定電極を形成する貼付電極の側面図である。図３Ｂは、アクティブおよびパッシブ測定電極を形成する貼付電極の底面図である。【００２９】
図３Ａおよび図３Ｂに示すように、貼付電極２５０は、制御通信装置２１０および２１０ａ（図２Ａおよび図２Ｂ参照）の凹状の入力端子２２０を電気的に接続する凸状の接続部２６０と、接続部２６０の一方端に取り付けた電極板２７０と、電極板２７０の表面に形成した粘着性を有する導電ゲル２８０とを有する。なお、導電ゲル２８０は、粘着性が高く、導電性が良好なものが好ましい。【００３０】
貼付電極２５０は、導電ゲル２８０が形成されている面を被検者１５０の体表面に密着させて取り付ける。被検者１５０からの心電信号は、導電ゲル２８０、電極板２７０を介し、接続部２６０に伝送される。【００３１】
（制御通信装置の構成）
図４は、アクティブ測定電極を構成する制御通信装置のブロック図である。【００３２】
アクティブ測定電極２００Ａ−２００Ｆ、２００Ｈ、２００Ｊを形成する制御通信装置２１０は、心電図取得ユニット２４０と無線送信ユニット２４５とを有する。心電図取得ユニット２４０は、貼付電極２５０の接続部２６０および制御通信装置２１０の入力端子２２５から入力した心電信号を用いて誘導信号を生成する。【００３３】
具体的には、入力１からは貼付電極２５０が取得したローカル心電信号が入力され、入力２からはウイルソンターミナル１８０からの心電信号が入力される。心電図取得ユニット２４０は、これらの心電信号を処理して誘導信号を生成する。【００３４】
無線送信ユニット２４５は、心電図取得ユニット２４０が生成した誘導信号を無線通信により外部に送信する。無線送信ユニット２４５が誘導信号を外部に送信するときに用いる無線通信は、電波、赤外線、無線ＬＡＮ（Ｗｉ-Ｆｉ）、Ｂｌｕｅｔｏｏｔｈ（登録商標）のいずれかの無線通信方法により行われる。なお、制御通信装置２１０はバッテリ２４６を備え、心電図取得ユニット２４０と無線送信ユニット２４５とはバッテリ２４６の電力で動作する。【００３５】
なお、パッシブ測定電極２００Ｇ、２００Ｉは、制御通信装置２１０ａを有するが、制御通信装置２１０ａは、心電図取得ユニット２４０と無線送信ユニット２４５を有していない。パッシブ測定電極２００Ｇは、パッシブ測定電極２００Ｇ自身が入力した心電信号を、アクティブ測定電極２００Ｈ、２００Ｊおよびウイルソンターミナル１８０に出力するだけで良いからである。また、パッシブ測定電極２００Ｉは、自身が入力したローカル心電信号を、アクティブ測定電極２００Ａ−２００Ｆ、２００Ｈ、２００Ｊに出力するだけで良いからである。【００３６】
（心電図取得ユニットの構成）
図５は、図４に示す心電図取得ユニットのブロック図である。【００３７】
心電図取得ユニット２４０は、増幅部２４１、Ａ／Ｄ変換部２４２、メモリ２４３およびＣＰＵ２４４を有する。増幅部２４１は、貼付電極２５０の接続部２６０（入力１）、制御通信装置２１０の入力端子２２５（入力２）から入力した心電信号を増幅する。Ａ／Ｄ変換部２４２は、増幅部２４１が増幅した後の心電信号をデジタル信号に変換する。メモリ２４３は、Ａ／Ｄ変換部２４２がデジタル信号に変換した心電信号を記憶する。ＣＰＵ２４４は、デジタル信号に変換した後の心電信号を用いて誘導信号を演算する。演算された誘導信号は図４に示した無線送信ユニット２４５に出力される。【００３８】
（測定電極の動作）
図６は、図１の心電システム１００を構成するアクティブおよびパッシブ測定電極の接続図である。まず、アクティブ測定電極２００Ａ−２００Ｆは次のように動作する。【００３９】
アクティブ測定電極２００Ａは、アクティブ測定電極２００Ａの貼付電極２５０（図２Ａ参照）から接続部２６０を介してローカル心電信号の電位Ｖ１を入力する。また、アクティブ測定電極２００Ａの入力端子２２５からウイルソンターミナル１８０が出力する心電信号の電位ＷＣＴを入力する。【００４０】
ここで、ウイルソンターミナル１８０が出力する心電信号の電位ＷＣＴは、右手首のパッシブ測定電極２００Ｇが取得する心電信号の電位ＶＲと、左手首のアクティブ測定電極２００Ｈが取得する心電信号の電位ＶＬと、左足首のアクティブ測定電極２００Ｊが取得する心電信号の電位ＶＦとの和を３で割った値、すなわち、（ＶＲ＋ＶＬ＋ＶＦ）／３の値である。アクティブ測定電極２００Ａは、Ｖ１−ＷＣＴを演算し、その結果を胸部の誘導信号として無線送信する。【００４１】
同様に、アクティブ測定電極２００Ｂは、アクティブ測定電極２００Ｂの貼付電極２５０から接続部２６０を介してローカル心電信号の電位Ｖ２を入力する。また、アクティブ測定電極２００Ｂの入力端子２２５からウイルソンターミナル１８０が出力する心電信号の電位ＷＣＴを入力する。アクティブ測定電極２００Ｂは、Ｖ２−ＷＣＴを演算し、その結果を胸部の誘導信号として無線送信する。【００４２】
同様に、アクティブ測定電極２００Ｃは、Ｖ３−ＷＣＴを演算し、その結果を胸部の誘導信号として無線送信する。アクティブ測定電極２００Ｄは、Ｖ４−ＷＣＴを演算し、その結果を胸部の誘導信号として無線送信する。アクティブ測定電極２００Ｅは、Ｖ５−ＷＣＴを演算し、その結果を胸部の誘導信号として無線送信する。アクティブ測定電極２００Ｆは、Ｖ６−ＷＣＴを演算し、その結果を胸部の誘導信号として無線送信する。【００４３】
次に、パッシブ測定電極２００Ｇ、２００Ｉ、アクティブ測定電極２００Ｈ、２００Ｊは次のように動作する。【００４４】
パッシブ測定電極２００Ｇは、パッシブ測定電極２００Ｇの貼付電極２５０（図２Ｂ参照）から接続部２６０を介してローカル心電信号の電位ＶＲを入力する。パッシブ測定電極２００Ｇの出力端子２３０は、アクティブ測定電極２００Ｈおよびアクティブ測定電極２００Ｊにローカル心電信号の電位ＶＲを出力する。また、出力端子２３２は、ウイルソンターミナル１８０にローカル心電信号の電位ＶＲを出力する。【００４５】
アクティブ測定電極２００Ｈは、アクティブ測定電極２００Ｈの貼付電極２５０から接続部２６０を介してローカル心電信号の電位ＶＬを入力する。アクティブ測定電極２００Ｈの入力端子２２５からパッシブ測定電極２００Ｇが出力する心電信号の電位ＶＲを入力する。アクティブ測定電極２００Ｈは、ＶＬ−ＶＲを演算し、その結果を四肢の誘導のＩ誘導として無線送信する。また、出力端子２３２からウイルソンターミナル１８０に心電信号の電位ＶＬを出力する。【００４６】
また、パッシブ測定電極２００Ｉは、パッシブ測定電極２００Ｉの貼付電極２５０から接続部２６０を介してローカル心電信号の電位Ｇを入力する。この電位Ｇはアクティブ測定電極２００Ａ−２００Ｆ、２００Ｈ、２００Ｊの制御通信装置２１０およびパッシブ測定電極２００Ｇの制御通信装置２０１ａ内の回路のグランドとなる。このため、パッシブ測定電極２００Ｉの出力端子２３０、２３２は、アクティブ測定電極２００Ａ−２００Ｆ、２００Ｈ、２００Ｊ、パッシブ測定電極２００Ｇのアース端子２３５に接続される。【００４７】
アクティブ測定電極２００Ｊは、アクティブ測定電極２００Ｊの貼付電極２５０から接続部２６０を介してローカル心電信号の電位ＶＦを入力する。アクティブ測定電極２００Ｊの入力端子２２５からパッシブ測定電極２００Ｇが出力する心電信号の電位ＶＲを入力する。アクティブ測定電極２００Ｊは、ＶＦ−ＶＲを演算し、その結果を四肢の誘導のＩＩ誘導として無線送信する。また、出力端子２３２からウイルソンターミナル１８０に心電信号の電位ＶＦを出力する。【００４８】
（心電計本体の構成）
図７は、心電計本体の外観図である。心電計本体３００は、長方形状の薄型のコンピュータである。心電計本体３００の内部にはアクティブ測定電極２００Ａ−２００Ｆ、２００Ｈ、２００Ｊから送信される胸部の誘導信号と四肢の誘導信号とに基づいて、心電図を生成するための制御系を有している。心電計本体３００の外部には生成した心電図または体表面マッピング心電図を表示するディスプレイ３７０が設けられている。【００４９】
図８は、心電計本体３００の制御系のブロック図である。心電計本体３００は、受信部３１０、平均ウエイト記憶部３２０、最適ウエイト記憶部３３０、被検者情報記憶部３５０、制御部３６０およびディスプレイ３７０を有する。なお、平均ウエイト記憶部３２０と最適ウエイト記憶部３３０とによって脱落誘導ウエイト記憶部３４０が形成される。【００５０】
受信部３１０は、アクティブ測定電極２００Ａ−２００Ｆ、２００Ｈ、２００Ｊが送信した胸部の誘導（Ｖ１−ＷＣＴ、Ｖ２−ＷＣＴ、Ｖ３−ＷＣＴ、Ｖ４−ＷＣＴ、Ｖ５−ＷＣＴ、Ｖ６−ＷＣＴ）および四肢の誘導（Ｉ誘導、ＩＩ誘導）を受信する。【００５１】
平均ウエイト記憶部３２０は、いずれかのアクティブ測定電極２００Ａ−２００Ｆが被検者１５０から脱落した場合を考慮して不特定多数の人から求めた平均ウエイトを記憶する。脱落したアクティブ測定電極２００Ａ−２００Ｆの心電電位Ｖｉは下記の一般式で求めることができる。【００５２】
【数１】
2019163028.tif 000003
【００５３】
１２誘導心電図を作成する場合には、図１に示したように、合計１０個のアクティブ測定電極２００Ａ−２００Ｆ、２００Ｈ、２００Ｊおよびパッシブ測定電極２００Ｇ、２００Ｉから心電電位を検出する必要がある。しかし、たとえば、アクティブ測定電極２００Ｃが脱落したとすると、その脱落したアクティブ測定電極２００Ｃの電極からは心電電位が得られない。そのため、アクティブ測定電極２００Ｃの電極から得られていたと予測される心電電位を上記数１の式から求める。【００５４】
具体的には、例えば、下記式によってアクティブ測定電極２００Ｃの心電電位Ｖ３を求めることができる。【００５５】
【数２】
2019163028.tif 000004
【００５６】
また、２つのアクティブ測定電極２００Ｃと２００Ｅとが脱落したときには、下記式によって、アクティブ測定電極２００Ｃの心電電位Ｖ３とアクティブ測定電極２００Ｅの心電電位Ｖ５とを求めることができる。【００５７】
【数３】
2019163028.tif 000005
【００５８】
このようにして、脱落した測定電極以外の測定電極の電位から、脱落した測定電極の電位を求めるために、平均ウエイト記憶部３２０は図９に示すようなウエイトを記憶したテーブルを備えている。平均ウエイトは、図示のように、１つの測定電極が脱落した場合のウエイト、２つの測定電極が脱落した場合のウエイト、３つの測定電極が脱落した場合のウエイトなど、６つの胸部の測定電極がすべて脱落したウエイトまで備えている。なお、四肢の測定電極が脱落した場合には、再測定を促すことになる。【００５９】
平均ウエイト記憶部３２０は、すべての被検者に適用する、図９に示すような平均ウエイトを記憶する、平均ウエイトは年代別、性別に分けて、記憶することもある。年代別、性別に分けて記憶する場合、たとえば、男性児童、男性成人、女性児童、女性成人、のように分けて記憶する必要がある。各平均ウエイトの値は実測して求める。【００６０】
最適ウエイト記憶部３３０は、いずれかのアクティブ測定電極２００Ａ−２００Ｆが被検者１５０から脱落した場合を考慮して被検者自身から求めた最適ウエイトを記憶する。【００６１】
最適ウエイトの用い方は平均ウエイトの場合と同じである。最適ウエイトは被検者自身にしか適用しないものであるので、図１０に示すように、被検者の、１つの測定電極が脱落した場合のウエイト、２つの測定電極が脱落した場合のウエイト、３つの測定電極が脱落した場合のウエイトなど、６つの胸部の測定電極がすべて脱落したウエイトまで備えている。なお、四肢の測定電極が脱落した場合には、再測定を促すことになる。【００６２】
被検者情報記憶部３５０は、被検者１５０の少なくとも患者名、年齢、性別などの被検者情報を記憶する。【００６３】
制御部３６０は、受信部３１０が受信した誘導信号に基づき、最適ウエイト記憶部３３０に被検者１５０から取得した最適ウエイトがあればこの最適ウエイトを用いて被検者固有の心電図を生成する。一方、最適ウエイト記憶部３３０に被検者１５０から取得した最適ウエイトがなければ平均ウエイト記憶部３２０にある平均ウエイトを用いて被検者１５０の心電図を生成する。【００６４】
制御部３６０は、受信部３１０が受信している誘導信号からいずれかのアクティブ測定電極２００Ａ−２００Ｆが被検者１５０から脱落しているか否かを認識する。制御部３６０は、脱落の状態に応じた平均ウエイトまたは最適ウエイトを平均ウエイト記憶部３２０または最適ウエイト記憶部３３０から取り出す。【００６５】
制御部３６０は、被検者情報記憶部３５０に記憶されている被検者情報を参照して、最適ウエイト記憶部３３０から被検者１５０の最適ウエイトを取り出すか、または、平均ウエイト記憶部３２０から被検者１５０に適切な平均ウエイトを取り出す。【００６６】
なお、制御部３６０が生成する心電図は、実施例１では、１２誘導心電図、４誘導心電図、３誘導心電図、体表面マッピング心電図のいずれかに適用できるが、これらの心電図には限られない。【００６７】
ディスプレイ３７０は、制御部３６０によって生成された心電図または体表面マッピング心電図を表示する。【００６８】
（心電計本体の動作）
図１１は、心電計本体３００の制御部３６０の動作フローチャートである。【００６９】
受信部３１０は、被検者１５０に取り付けられたアクティブ測定電極２００Ａ−２００Ｆ、２００Ｈ、２００Ｊの制御通信装置２１０から送信される誘導信号を受信する（Ｓ１００）。制御部３６０は、受信部３１０が受信した誘導信号を用いて、被検者１５０の心電図を生成する（Ｓ１１０）。このときに生成する心電図は１２誘導心電図である。１２誘導心電図は一般的に用いられている手法で生成する。【００７０】
具体的には、図１に示した、アクティブ測定電極２００Ａ−２００Ｆからは胸部の誘導信号が出力される。また、アクティブ測定電極２００Ｈ、２００Ｊからは四肢の誘導信号が出力される。【００７１】
つまり、心電図の生成に必要な下記の胸部および四肢の誘導信号が制御通信装置２１０から出力される。【００７２】
Ｖ１    誘導：  ｖ１−（ｖＲ＋ｖＬ＋ｖＦ）／３
Ｖ２    誘導：  ｖ２−（ｖＲ＋ｖＬ＋ｖＦ）／３
Ｖ３    誘導：  ｖ３−（ｖＲ＋ｖＬ＋ｖＦ）／３
Ｖ４    誘導：  ｖ４−（ｖＲ＋ｖＬ＋ｖＦ）／３
Ｖ５    誘導：  ｖ５−（ｖＲ＋ｖＬ＋ｖＦ）／３
Ｖ６    誘導：  ｖ６−（ｖＲ＋ｖＬ＋ｖＦ）／３
Ｉ      誘導：  ｖＬ−ｖＲ
ＩＩ    誘導：  ｖＦ−ｖＲ
ただし、ｖＲ、ｖＬ、ｖＦはそれぞれ右手、左手、左足の心電電位で、ｖ１〜ｖ６はそれぞれ胸部誘導位置の心電電位である。【００７３】
心電図の生成には、下記の誘導信号も必要であるが、これらの誘導信号は、制御部３６０が次の演算をすることで取得する。【００７４】
ＩＩＩ    誘導：  ＩＩ−Ｉ
ａＶＲ    誘導：  −（Ｉ＋ＩＩ）／２
ａＶＬ    誘導：  Ｉ−ＩＩ／２
ａＶＦ    誘導：  ＩＩ−Ｉ／２
制御部３６０は、被検者１５０から脱落しているアクティブ測定電極２００Ａ−２００Ｆがあるか否かを判断する（Ｓ１２０）。この判断は、制御部３６０にアクティブ測定電極２００Ａ−２００Ｆからの胸部の誘導信号が正常に入力されているか否かによって行われる。【００７５】
全てのアクティブ測定電極２００Ａ−２００Ｆから胸部の誘導信号が正常に入力されていなければ脱落している測定電極があると判断し（Ｓ１２０：ＹＥＳ）、制御部３６０は、脱落誘導ウエイト記憶部３４０（図８参照）から脱落誘導ウエイト（平均ウエイトまたは最適ウエイト）を検索する（Ｓ１３０）。脱落誘導ウエイトは、たとえば、被検者１５０から測定電極が脱落した場合に、その脱落を補間するためのウエイトである。脱落誘導ウエイトは、１つの測定電極だけでなく、複数の測定電極が脱落した場合にも対応できるように、全ての組み合わせについて設けてある。なお、Ｓ１３０の処理については後で詳しく説明する。【００７６】
制御部３６０は、脱落誘導ウエイト記憶部３４０から取り出した脱落誘導ウエイトを用いてＳ１１０のステップで生成した心電図を補間する（Ｓ１４０）。この補間により、より正確な心電図が得られる。一方、全てのアクティブ測定電極２００Ａ−２００Ｆの脱落がない場合には（Ｓ１２０：ＮＯ）、補間をすることなく、Ｓ１５０のステップの処理に進む。【００７７】
次に、制御部３６０は生成した心電図を解析し（Ｓ１５０）、心電図をディスプレイ３７０に出力する（Ｓ１６０）。【００７８】
このように、実施例１に係る心電システム１００では、アクティブ測定電極２００Ａ−２００Ｆのいずれかが脱落してしまった場合でも、正確な心電図を採ることができる。【００７９】
図１２は、脱落誘導ウエイト検索の手順を示すフローチャートである。このフローチャートは、図１１のフローチャートのＳ１３０のステップのサブルーチンフローチャートである。【００８０】
制御部３６０は、入力されている胸部の誘導信号および四肢の誘導信号に基づいて脱落している測定電極がアクティブ測定電極２００Ａ−２００Ｆのどれであるかを検索する（Ｓ１３１）。次に、被検者１５０の個人名が入力されているか否かを判断する（Ｓ１３２）。合致する個人名があれば（Ｓ１３２：ＹＥＳ）、その個人名に対応した最適ウエイトが最適ウエイト記憶部３３０内にあるか否かを判断する（Ｓ１３３）。合致する個人名がなければ（Ｓ１３２：ＮＯ）、測定者に被検者のユーザー登録を催促する（Ｓ１３４）。【００８１】
最適ウエイトがあれば（Ｓ１３３：ＹＥＳ）、制御部３６０は、最適ウエイト記憶部３３０から最適ウエイトを検索し（Ｓ１３５）、最適ウエイトを取得する（Ｓ１３６）。【００８２】
最適ウエイトがなければ（Ｓ１３３：ＮＯ）、制御部３６０は、測定者に被検者の最適ウエイトの作成を催促する（Ｓ１３７）。次に、制御部３６０は、被検者の性別および年齢が被検者情報記憶部３５０内に記憶されているか否かを判断する（Ｓ１３８）。被検者の性別および年齢が記憶されていれば（Ｓ１３８：ＹＥＳ）、その被検者の性別および年齢に合致した平均ウエイトを検索し（Ｓ１３９）、平均ウエイトを取得する（Ｓ１４０）。一方、被検者の性別および年齢が被検者情報記憶部３５０内に記憶されていなければ（Ｓ１３８：ＮＯ）、測定者に被検者の性別、年齢の入力を催促する（Ｓ１４１）。【００８３】
図１３は、平均ウエイトの作成手順を示すフローチャートである。まず、平均ウエイトを生成するための心電図データ母集団を構築する（Ｓ２００）。具体的には、性別、年齢別に、不特定多数の人から心電図データを取得する。次に、模擬脱落誘導の並び組み合わせリストを作成する（Ｓ２１０）。１２誘導心電図を採る場合、被検者１５０には、８個のアクティブ測定電極２００Ａ−２００Ｆ、２００Ｈ、２００Ｊおよび２個のパッシブ測定電極２００Ｇ、２００Ｉが取り付けられる。このうちの６個のアクティブ測定電極２００Ａ−２００Ｆの測定電極の任意の１つが脱落した場合、任意の２個の測定電極が脱落した場合、…、というように、脱落の全てのパターンのリストを、性別および年代別に作成する（図９参照）。【００８４】
次に、模擬脱落誘導を補間するためのウエイトを演算する（Ｓ２２０）。具体的には、たとえば、アクティブ測定電極２００Ａのみが脱落した場合に、その脱落によって、得られる心電図は実際とは異なったものになってしまう。そのため、その心電図があたかもアクティブ測定電極２００Ａが脱落していないときに得られる実際の心電図と同一の心電図となるように補間するウエイトを演算する。このウエイトは、脱落の全てのパターンについて演算される。最後に、このようにして演算された平均ウエイトのルックアップテーブルを作成する（Ｓ２３０）。作成されたルックアップテーブルは、平均ウエイト記憶部３２０（図８参照）に記憶させる。【００８５】
なお、平均ウエイトは、作成した時から時間が経過するにしたがって正確ではなくなってくる。世の中の環境の変化とともに、各年代の体格が異なってきたり、筋肉、脂肪などの組成が異なってきたりするからである。このため、平均ウエイトは２，３年といったインターバルで定期的に更新することが好ましい。【００８６】
図１４は、最適ウエイトの作成手順を示すフローチャートである。まず、データ長の十分な心電図データを用意する（Ｓ３００）。心電図データは、被検者１５０自身のものをできるだけ多く用意する。次に、模擬脱落誘導の並び組み合わせリストを作成する（Ｓ３１０）。上記のように、１２誘導心電図を採る場合、被検者１５０には、８個のアクティブ測定電極２００Ａ−２００Ｆ、２００Ｈ、２００Ｊおよび２個のパッシブ測定電極２００Ｇ、２００Ｉが取り付けられる。このうちの６個のアクティブ測定電極２００Ａ−２００Ｆの測定電極の任意の１つが脱落した場合、任意の２つが脱落した場合、…、というように、脱落の全てのパターンのリストを作成する（図１０参照）。【００８７】
次に、模擬脱落誘導を補間するためのウエイトを演算する（Ｓ３２０）。具体的には、たとえば、アクティブ測定電極２００Ａのみが脱落した場合に、その脱落によって、得られる心電図は実際とは異なったものになってしまう。そのため、その心電図があたかもアクティブ測定電極２００Ａが脱落していないときに得られる実際の心電図と同一の心電図となるように補間するウエイトを演算する。このウエイトは、脱落の全てのパターンについて演算される。最後に、このようにして演算された最適ウエイトのルックアップテーブルを作成する（Ｓ３３０）。作成されたルックアップテーブルは、最適ウエイト記憶部３３０（図８参照）に記憶させる。【００８８】
なお、最適ウエイトも、平均ウエイトと同様の理由から、２，３年といったインターバルで定期的に更新することが好ましい。【００８９】
以上のように、実施例１に係る心電システム１００では、被検者１５０に取り付ける８個のアクティブ測定電極２００Ａ−２００Ｆ、２００Ｈ、２００Ｊが胸部の誘導信号、四肢の誘導信号を送信する機能を有している。このため、１２誘導心電図を採る場合に、アクティブ測定電極２００Ａ−２００Ｆ、２００Ｈ、２００Ｊを心電計本体３００にケーブルで接続する必要がなくなる。したがって、各測定電極にケーブルを繋ぐ必要がなく、測定者はケーブルの取り回しが容易になる。このため、医療機関において要望されていた、測定電極とケーブルの取り回しの改善が実現できる。また、医療機関以外の１２誘導心電図の測定、特に在宅医療などに１２誘導心電図の利用が可能になる。【００９０】
また、アクティブ測定電極２００Ａ−２００Ｆにウイルソンターミナル１８０からの心電信号を入力し、アクティブ測定電極２００Ａ−２００Ｆで心電図の生成に必要な胸部の誘導信号を演算させている。このため、心電計本体３００に無線通信によって胸部の誘導信号を伝送させることができる。【００９１】
また、実施例１に係る心電システム１００では、被検者１５０に取り付ける６個のアクティブ測定電極２００Ａ−２００Ｆの内のいずれかが脱落してしまったときでも、その脱落を意識せずに、正確な心電図を採ることができる。これは、脱落の全てのパターンを考慮した平均ウエイトおよび最適ウエイトといった脱落誘導ウエイトを用意しているからである。実施例１では、脱落誘導ウエイトを用いるため、非常に信頼性の高い心電図を採ることができる。【００９２】
［実施例１の変形例］
図１５は、実施例１に係る心電システム１００の変形例を示す図である。この変形例では、椅子４００の左右の肘掛部４１０にパッシブ測定電極２００Ｇおよびアクティブ測定電極２００Ｈを配置し、２段設けてある足置部４２０の左右に、パッシブ測定電極２００Ｉおよびアクティブ測定電極２００Ｊを配置している。このため、被検者１５０は、実施例１のように測定を行うときでも、両手首および両足首にパッシブ測定電極２００Ｇ、２００Ｉ、アクティブ測定電極２００Ｈ、２００Ｊを取り付ける必要はない。【００９３】
被検者１５０は、アクティブ測定電極２００Ａ−２００Ｆを取り付けた状態で椅子４００に座り、両手の平を左右の肘掛部４１０のパッシブ測定電極２００Ｇ、アクティブ測定電極２００Ｈに接触させ、両足の裏を２段のいずれかの足置部４２０のパッシブ測定電極２００Ｉ、アクティブ測定電極２００Ｊに接触させるだけで心電図を採ることができる。つまり、被検者１５０は、図１に示したようにアクティブ測定電極２００Ａ−２００Ｆを胸部に取り付け、椅子４００に座ることで、心電図を採ることができる。【００９４】
図１５に示す椅子４００はリクライニング可能である。足置部４２０は、リクライニングの角度に応じて被検者１５０の足が置き替えられるように、２段の足置部が分割して設けられる。肘掛部４１０と足置部４２０にはパッシブ測定電極２００Ｇ、２００Ｉ、アクティブ測定電極２００Ｈ、２００Ｊが配置される。ウイルソンターミナル１８０は、椅子４００の内部に埋め込まれている。ウイルソンターミナル１８０は、肘掛部４１０のパッシブ測定電極２００Ｇ、アクティブ測定電極２００Ｈと足置部４２０のアクティブ測定電極２００Ｊのそれぞれに接続して無関電極を形成する。パッシブ測定電極２００Ｉ、アクティブ測定電極２００Ｊは、２段の足置部４２０のそれぞれに配置され、リクライニングの角度に応じて、使用できるパッシブ測定電極２００Ｉ、アクティブ測定電極２００Ｊが切り替えられる。【００９５】
たとえば、アクティブ測定電極２００Ａ−２００Ｆを取り付けた被検者１５０が椅子４００をリクライニングさせずに心電図を採る場合には、椅子側にある足置部４２０のパッシブ測定電極２００Ｉ、アクティブ測定電極２００Ｊに足を載せる。一方、リクライニングさせ被検者１５０が寝転がるような体勢で心電図を採る場合には、先端側にある足置部４２０のパッシブ測定電極２００Ｉ、アクティブ測定電極２００Ｊに足を載せる。【００９６】
なお、椅子４００に内蔵されているウイルソンターミナル１８０と被検者１５０に取り付けられているウイルソンターミナル１８０（図１参照）とは図示しない信号線で接続される。【００９７】
以上の実施例１の変形例では、パッシブ測定電極２００Ｇ、２００Ｉ、アクティブ測定電極２００Ｈ、２００Ｊを椅子４００に設けたこと以外は、心電計本体３００の動作を含め、実施例１と同一である。実施例１の変形例では、被検者１５０の両手首と両足首が拘束されないので、被検者１５０は、よりリラックスした状態で心電図を採ることができる。【００９８】
以上、実施例１およびその変形例において、心電システム１００の構成および動作について説明した。実施例１およびその変形例において心電図が生成されるまでの手順は次の通りである。【００９９】
［心電測定方法］
実施例１およびその変形例に係る心電システム１００によって被検者１５０の心電図を生成するまでの手順を示すと次のようになる。【０１００】
被検者１５０の胸部と四肢の心電信号を取得する段階と、
被検者１５０の四肢の心電信号の内、右腕、左腕、左足の心電信号から無関電極の電位を生成する段階と、
胸部の心電信号の電位と無関電極の電位とから求めた胸部の誘導信号を無線通信により送信する段階と、
四肢の心電信号の電位から求めた四肢の誘導信号を無線通信により送信する段階と、
送信された前記胸部の誘導信号と前記四肢の誘導信号とに基づいて心電図を生成する段階と、を含む。【０１０１】
そして、心電図を生成する段階は、
被検者１５０の心電図を作成するため、いずれかの測定電極の脱落を考慮して不特定多数の人から求めた平均ウエイト、および、被検者１５０の心電図を作成するため、いずれかの測定電極の脱落を考慮して被検者１５０から求めた最適ウエイトを準備する段階と、
被検者１５０の最適ウエイトがあれば当該最適ウエイトを用いて被検者固有の心電図を生成する一方、被検者１５０の最適ウエイトがなければ平均ウエイトを用いて被検者１５０の心電図を生成する段階と、を含む。
【実施例２】
【０１０２】
（心電システムの全体構成）
図１６は、実施例２に係る心電システムの構成図である。実施例２では実施例１とは異なり、パッシブ測定電極２００Ｇ、２００Ｉおよびアクティブ測定電極２００Ｈ、２００Ｊを被検者１５０の体幹上に取り付けている。実施例２においても実施例１と同様に、１２誘導心電図を採る場合を例示して説明する。【０１０３】
図１６に示すように、実施例２に係る心電システム１００Ｂにおいて１２誘導心電図を採る場合、被検者１５０の体幹上において、右鎖骨上、左鎖骨下、右前腸骨棘または右肋骨弓下端部、左前腸骨棘または左肋骨弓下端部の部分の４か所に、被検者１５０の四肢の心電信号を取得するパッシブ測定電極２００Ｇ、２００Ｉ、アクティブ測定電極２００Ｈ、２００Ｊを取り付ける。さらに、胸部の所定の６か所に、被検者１５０の胸部の心電信号を取得するアクティブ測定電極２００Ａ、２００Ｂ、２００Ｃ、２００Ｄ、２００Ｅ、２００Ｆを取り付ける。なお、被検者１５０の右鎖骨上、左鎖骨下、左前腸骨棘または左肋骨弓下端部に取り付けたパッシブ測定電極２００Ｇ、アクティブ測定電極２００Ｈ、２００Ｊに接続して無関電極を形成するウイルソンターミナル１８０を設けている。【０１０４】
アクティブ測定電極２００Ａ、２００Ｂ、２００Ｃ、２００Ｄ、２００Ｅ、２００Ｆは、アクティブ測定電極２００Ａ、２００Ｂ、２００Ｃ、２００Ｄ、２００Ｅ、２００Ｆが取得した心電信号の電位とウイルソンターミナル１８０の無関電極の電位とから求めた胸部の誘導信号を無線通信により送信する。アクティブ測定電極２００Ｈ、２００Ｊは、パッシブ測定電極２００Ｇ、２００Ｉおよびアクティブ測定電極２００Ｈ、２００Ｊが取得した四肢の心電信号の電位から求めた四肢の誘導信号を無線通信により送信する。心電計本体３００は、アクティブ測定電極２００Ａ、２００Ｂ、２００Ｃ、２００Ｄ、２００Ｅ、２００Ｆが送信した胸部の誘導信号と、アクティブ測定電極２００Ｈ、２００Ｊが送信した四肢の誘導信号とに基づいて心電図を生成する。【０１０５】
（測定電極の構成）
図１７Ａは、アクティブ測定電極２００Ａ、２００Ｂ、２００Ｃ、２００Ｄ、２００Ｅ、２００Ｆ、２００Ｈ、２００Ｊの外観図である。また、図１７Ｂは、パッシブ測定電極２００Ｇ、２００Ｉの外観図である。これらの測定電電極の構成は、図２Ａ、図２Ｂと同一である。【０１０６】
なお、図１７Ａ、図１７Ｂに示した制御通信装置２１０および２１０ｂの構成、貼付電極２５０の構成は、図２Ａ、図２Ｂ、図４に示した実施例１の制御通信装置２１０および２１０ａの構成、図３Ａ、図３Ｂに示した貼付電極２５０の構成と同一である。さらに、アクティブ測定電極２００Ａ、２００Ｂ、２００Ｃ、２００Ｄ、２００Ｅ、２００Ｆ、２００Ｈ、２００Ｊの制御通信装置２１０が備える心電図取得ユニットの構成も、図５に示した実施例１の心電図取得ユニット２４０と同一である。【０１０７】
実施例２に係る心電システム１００Ｂにおいて、測定電極の動作は、図６で説明した心電システム１００の測定電極の動作と同一である。また、心電計本体の構成および動作も、図７〜図１４で説明した心電計本体３００の構成および動作と同一である。【０１０８】
以上のように、実施例２に係る心電システム１００Ｂでは、被検者１５０に取り付ける８個のアクティブ測定電極２００Ａ−２００Ｆ、２００Ｈ、２００Ｊの制御通信装置２１０が胸部の誘導信号、四肢の誘導信号を送信する機能を有している。このため、実施例１に係る心電システム１００と同様に、アクティブ測定電極２００Ａ−２００Ｆ、２００Ｈ、２００Ｊおよびパッシブ測定電極２００Ｇ、２００Ｉを心電計本体３００にケーブルで接続する必要がなくなる。したがって、各測定電極に、長く、太く、重たいケーブルを繋ぐ必要がなく、測定者はケーブルの取り回しが容易になる。【０１０９】
また、アクティブ測定電極２００Ａ−２００Ｆにウイルソンターミナル１８０からの心電信号を入力し、アクティブ測定電極２００Ａ−２００Ｆで心電図の生成に必要な胸部の誘導信号を演算させている。このため、心電計本体３００に無線通信によって胸部の誘導信号を伝送させることができる。【０１１０】
また、実施例２に係る心電システム１００Ｂでは、実施例１に係る心電システム１００と同様に、被検者１５０に取り付ける６個のアクティブ測定電極２００Ａ−２００Ｆのいずれかが脱落してしまったときでも、その脱落を意識せずに、正確な心電図を採ることができる。これは、脱落の全てのパターンを考慮した平均ウエイトおよび最適ウエイトといった脱落誘導ウエイトを用意しているからである。実施例２でも、脱落誘導ウエイトを用いるため、非常に信頼性の高い心電図を得ることができる。【０１１１】
さらに、実施例２に係る心電システム１００Ｂでは、パッシブ測定電極２００Ｇ、２００Ｉを被検者１５０の体幹上に取り付けている。このため、被検者１５０が横たわるベッド１７０は必要なくなる。また、被検者１５０は、心電図を採るときに実施例１のようにベッド１７０に横たわる必要がない。【０１１２】
図１６に示すような電極位置は従来の負荷心電計でも使われている。しかし、従来は電極と本体とをケーブルで繋ぐ必要があるので、運動しながら心電図を測定するには被検者の負担とされている。実施例２によって、ケーブルの使用はなくなり、負荷心電計でより手軽に心電図を採ることができ、革新的なものとなる。【０１１３】
［実施例２の変形例］
図１８は、実施例２に係る心電システム１００Ｂの変形例を示す図である。この変形例では４誘導心電図を採るための構成を示す。【０１１４】
図１８に示すように、実施例２の変形例に係る心電システム１００Ｃにおいては、４誘導心電図を採る場合、被検者１５０の体幹上において、右鎖骨上、左鎖骨下、右前腸骨棘または右肋骨弓下端部、左前腸骨棘または左肋骨弓下端部の部分の４か所に、被検者１５０の四肢の心電信号を取得するパッシブ測定電極２００Ｇ、２００Ｉおよびアクティブ測定電極２００Ｈ、２００Ｊを取り付ける。さらに、胸部の所定の２か所に、被検者１５０の胸部の心電信号を取得するアクティブ測定電極２００Ｂ、２００Ｄを取り付ける。また、被検者１５０の右鎖骨上、左鎖骨下、左前腸骨棘または左肋骨弓下端部に取り付けたパッシブ測定電極２００Ｇ、２００Ｉ、アクティブ測定電極２００Ｊに接続して無関電極を形成するウイルソンターミナル１８０を設ける。【０１１５】
アクティブ測定電極２００Ｂ、２００Ｄは、アクティブ測定電極２００Ｂ、２００Ｄが取得した心電信号の電位とウイルソンターミナル１８０の無関電極の電位とから求めた胸部の誘導信号を無線通信により送信する。アクティブ測定電極２００Ｈ、２００Ｊは、パッシブ測定電極２００Ｇ、２００Ｉ、アクティブ測定電極２００Ｈ、２００Ｊが取得した四肢の心電信号の電位から求めた四肢の誘導信号を無線通信により送信する。心電計本体３００は、アクティブ測定電極２００Ｂ、２００Ｄが送信した胸部の誘導信号と、アクティブ測定電極２００Ｈ、２００Ｊが送信した四肢の誘導信号とに基づいて心電図を生成する。【０１１６】
（測定電極の動作）
図１９は、図１８の心電システム１００Ｃを構成する測定電極の接続図である。まず、アクティブ測定電極２００Ｂ、２００Ｄは次のように動作する。【０１１７】
アクティブ測定電極２００Ｂは、アクティブ測定電極２００Ｂの貼付電極２５０から接続部２６０を介して心電信号の電位Ｖ２を入力し、アクティブ測定電極２００Ｂの入力端子２２５からウイルソンターミナル１８０が出力する心電信号の電位ＷＣＴを入力する。ここで、ウイルソンターミナル１８０が出力する心電信号の電位は、右鎖骨上のパッシブ測定電極２００Ｇが取得する心電信号の電位ＶＲと、左鎖骨下のアクティブ測定電極２００Ｈが取得する心電信号の電位ＶＬと、左前腸骨棘または左肋骨弓下端部のアクティブ測定電極２００Ｊが取得する心電信号の電位ＶＦとの和を３で割った値、すなわち、（ＶＲ＋ＶＬ＋ＶＦ）／３の値である。アクティブ測定電極２００Ｂは、Ｖ２−ＷＣＴを演算し、その結果を胸部の誘導信号として無線送信する。【０１１８】
同様に、アクティブ測定電極２００Ｄは、Ｖ４−ＷＣＴを演算し、その結果を胸部の誘導信号として無線送信する。【０１１９】
次に、パッシブ測定電極２００Ｇ、２００Ｉ、アクティブ測定電極２００Ｈ、２００Ｊは次のように動作する。パッシブ測定電極２００Ｇは、パッシブ測定電極２００Ｇの貼付電極２５０（図１７Ｂ参照）から接続部２６０を介して心電信号の電位ＶＲを入力する。パッシブ測定電極２００Ｇの出力端子２３０からアクティブ測定電極２００Ｈ、２００Ｊに心電信号の電位ＶＲを出力し、出力端子２３２からウイルソンターミナル１８０に心電信号の電位ＶＲを出力する。【０１２０】
アクティブ測定電極２００Ｈは、アクティブ測定電極２００Ｈの貼付電極２５０（図１７Ａ参照）から接続部２６０を介して心電信号の電位ＶＬを入力する。アクティブ測定電極２００Ｈの入力端子２２５からパッシブ測定電極２００Ｇが出力する心電信号の電位ＶＲを入力する。アクティブ測定電極２００Ｈは、ＶＬ−ＶＲを演算し、その結果を四肢の誘導信号として無線送信する。また、出力端子２３２からウイルソンターミナル１８０に心電信号の電位ＶＬを出力する。【０１２１】
また、パッシブ測定電極２００Ｉは、パッシブ測定電極２００Ｉの貼付電極２５０から接続部２６０を介して心電信号の電位Ｇを入力する。この電位Ｇはアクティブ測定電極２００Ｂ、２００Ｄ、パッシブ測定電極２００Ｇおよびアクティブ測定電極２００Ｈ、２００Ｊの基準電位（グランド）となる。このため、パッシブ測定電極２００Ｉの出力端子２３０、２３２は、アクティブ測定電極２００Ｂ、２００Ｄ、パッシブ測定電極２００Ｇ、およびアクティブ測定電極２００Ｈ、２００Ｊのアース端子２３５に接続される。【０１２２】
アクティブ測定電極２００Ｊは、アクティブ測定電極２００Ｊの貼付電極２５０から接続部２６０を介して心電信号の電位ＶＦを入力する。アクティブ測定電極２００Ｊの入力端子２２５からパッシブ測定電極２００Ｇが出力する心電信号の電位ＶＲを入力する。アクティブ測定電極２００Ｊは、ＶＦ−ＶＲを演算し、その結果を四肢の誘導信号として無線送信する。また、出力端子２３２からウイルソンターミナル１８０に心電信号の電位ＶＦを出力する。【０１２３】
実施例２の変形例に係る心電システム１００Ｃのアクティブ測定電極２００Ｂ、２００Ｄ、パッシブ測定電極２００Ｇ、２００Ｉ、アクティブ測定電極２００Ｊの構成、アクティブ測定電極２００Ｂ、２００Ｄ、２００Ｈ、２００Ｊが備える制御通信装置２１０および貼付電極２５０の構成は、実施例２に係る心電システム１００Ｂと同一である。さらに、心電計本体３００の構成、心電計本体３００の動作も実施例２に係る心電システム１００Ｂと同一である。【０１２４】
以上のように、実施例２の変形例に係る心電システム１００Ｃでは、被検者１５０に取り付ける２個のアクティブ測定電極２００Ｂ、２００Ｄおよび２個のアクティブ測定電極２００Ｈ、２００Ｊの制御通信装置２１０が胸部の誘導信号、四肢の誘導信号を送信する機能を有している。このため、実施例１に係る心電システム１００と同様に、アクティブ測定電極２００Ｂ、２００Ｄ、２００Ｈ、２００Ｊを心電計本体３００にケーブルで接続する必要がなくなる。【０１２５】
また、４誘導心電図を採る場合、２つのアクティブ測定電極２００Ｂ、２００Ｄのみで良いので、より気軽に心電図を採ることができる。なお、上記の例ではＶ２、Ｖ４誘導を使っているが、もちろんＶ１、Ｖ３など、他の胸部誘導を用いて実施することもできる。【０１２６】
また、実施例２の変形例に係る心電システム１００Ｃでも、実施例１に係る心電システム１００と同様に、被検者１５０に取り付ける２個のアクティブ測定電極２００Ｂ、２００Ｄのいずれかが脱落してしまったときでも、その脱落を意識せずに、正確な心電図を採ることができる。【０１２７】
［実施例２の他の変形例］
図２０は、実施例２に係る心電システム１００Ｂの変形例を示す図である。この変形例では３誘導心電図を採るための構成を示す。【０１２８】
図２０に示すように、実施例２の他の変形例に係る心電システム１００Ｄにおいては、３誘導心電図を採る場合、被検者１５０の体幹上において、右鎖骨上、左鎖骨下、右前腸骨棘または右肋骨弓下端部、左前腸骨棘または左肋骨弓下端部の部分の４か所に、被検者１５０の四肢の心電信号を取得するパッシブ測定電極２００Ｇ、２００Ｉおよびアクティブ測定電極２００Ｈ、２００Ｊを取り付ける。さらに、胸部の所定の１か所に、被検者１５０の胸部の心電信号を取得するアクティブ測定電極２００Ｂを取り付ける。被検者１５０の右鎖骨上、左鎖骨下、左前腸骨棘または左肋骨弓下端部に取り付けたパッシブ測定電極２００Ｇおよびアクティブ測定電極２００Ｈ、２００Ｊに接続して無関電極を形成するウイルソンターミナル１８０を設ける。【０１２９】
アクティブ測定電極２００Ｂは、アクティブ測定電極２００Ｂが取得した心電信号の電位とウイルソンターミナル１８０の無関電極の電位とから求めた胸部の誘導信号を無線通信により送信する。アクティブ測定電極２００Ｈ、２００Ｊは、パッシブ測定電極２００Ｇ、２００Ｉおよびアクティブ測定電極２００Ｈ、２００Ｊが取得した四肢の心電信号の電位から求めた四肢の誘導信号を無線通信により送信する。心電計本体３００は、アクティブ測定電極２００Ｂが送信した胸部の誘導信号と、アクティブ測定電極２００Ｈ、２００Ｊが送信した四肢の誘導信号とに基づいて心電図を生成する。【０１３０】
（測定電極の動作）
図２１は、図２０の心電システム１００Ｄを構成する測定電極の接続図である。まず、アクティブ測定電極２００Ｂは次のように動作する。【０１３１】
アクティブ測定電極２００Ｂは、アクティブ測定電極２００Ｂの貼付電極２５０から接続部２６０を介して心電信号の電位Ｖ２を入力し、アクティブ測定電極２００Ｂの入力端子２２５からウイルソンターミナル１８０が出力する心電信号の電位ＷＣＴを入力する。ここで、ウイルソンターミナル１８０が出力する心電信号の電位は、右鎖骨上のパッシブ測定電極２００Ｇが取得する心電信号の電位ＶＲと、左鎖骨下のアクティブ測定電極２００Ｈが取得する心電信号の電位ＶＬと、左前腸骨棘または左肋骨弓下端部のアクティブ測定電極２００Ｊが取得する心電信号の電位ＶＦとの和を３で割った値、すなわち、（ＶＲ＋ＶＬ＋ＶＦ）／３の値である。アクティブ測定電極２００Ｂは、Ｖ２−ＷＣＴを演算し、その結果を胸部の誘導信号として無線送信する。【０１３２】
次に、パッシブ測定電極２００Ｇ、２００Ｉおよびアクティブ測定電極２００Ｈ、２００Ｊは次のように動作する。パッシブ測定電極２００Ｇは、パッシブ測定電極２００Ｇの貼付電極２５０（図１７Ｂ参照）から接続部２６０を介して心電信号の電位ＶＲを入力する。パッシブ測定電極２００Ｇの出力端子２３０からアクティブ測定電極２００Ｈ、２００Ｊに心電信号の電位ＶＲを出力し、出力端子２３２からウイルソンターミナル１８０に心電信号の電位ＶＲを出力する。【０１３３】
アクティブ測定電極２００Ｈは、アクティブ測定電極２００Ｈの貼付電極２５０（図１７Ａ参照）から接続部２６０を介して心電信号の電位ＶＬを入力する。アクティブ測定電極２００Ｈの入力端子２２５からパッシブ測定電極２００Ｇが出力する心電信号の電位ＶＲを入力する。アクティブ測定電極２００Ｈは、ＶＬ−ＶＲを演算し、その結果を四肢の誘導信号として無線送信する。また、出力端子２３２からウイルソンターミナル１８０に心電信号の電位ＶＬを出力する。【０１３４】
また、パッシブ測定電極２００Ｉは、パッシブ測定電極２００Ｉの貼付電極２５０から接続部２６０を介して心電信号の電位Ｇを入力する。この電位Ｇはアクティブ測定電極２００Ｂ、パッシブ測定電極２００Ｇおよびアクティブ測定電極２００Ｈ、２００Ｊの基準電位（グランド）となる。このため、パッシブ測定電極２００Ｉの出力端子２３０、２３２は、アクティブ測定電極２００Ｂ、２００Ｈ、２００Ｊおよびパッシブ測定電極２００Ｇのアース端子２３５に接続される。【０１３５】
アクティブ測定電極２００Ｊは、アクティブ測定電極２００Ｊの貼付電極２５０から接続部２６０を介して心電信号の電位ＶＦを入力する。アクティブ測定電極２００Ｊの入力端子２２５からパッシブ測定電極２００Ｇが出力する心電信号の電位ＶＲを入力する。アクティブ測定電極２００Ｊは、ＶＦ−ＶＲを演算し、その結果を四肢の誘導信号として無線送信する。また、出力端子２３２からウイルソンターミナル１８０に心電信号の電位ＶＦを出力する。【０１３６】
実施例２の他の変形例に係る心電システム１００Ｄのアクティブ測定電極２００Ｂ、２００Ｈ、２００Ｊ、パッシブ測定電極２００Ｇ、２００Ｉの構成、アクティブ測定電極２００Ｂ、２００Ｈ、２００Ｊが備える制御通信装置２１０および貼付電極２５０の構成は、実施例２に係る心電システム１００Ｂと同一である。さらに、心電計本体３００の構成、心電計本体３００の動作も実施例２に係る心電システム１００Ｂと同一である。【０１３７】
以上のように、実施例２の他の変形例に係る心電システム１００Ｄでは、被検者１５０に取り付ける３個のアクティブ測定電極２００Ｂ、２００Ｈ、２００Ｊの制御通信装置２１０が胸部の誘導信号、四肢の誘導信号を送信する機能を有している。このため、実施例１に係る心電システム１００と同様に、アクティブ測定電極２００Ｂ、２００Ｈ、２００Ｊおよびパッシブ測定電極２００Ｇ、２００Ｉを心電計本体３００にケーブルで接続する必要がなくなる。【０１３８】
また、３誘導心電図を採る場合、１つのアクティブ測定電極２００Ｂのみで良いので、より気軽に心電図を採ることができる。なお、上記の例ではＶ２誘導を使っているが、もちろんＶ１、Ｖ３など、他の胸部誘導を用いて実施することもできる。【０１３９】
また、実施例２の他の変形例に係る心電システム１００Ｄでも、実施例１に係る心電システム１００と同様に、被検者１５０に取り付けるアクティブ測定電極２００Ｂが脱落してしまったときでも、その脱落を意識せずに、正確な心電図を採ることができる。【０１４０】
以上、実施例２およびその２つの変形例において、心電システム１００Ｂ、１００Ｃ、１００Ｄの構成および動作について説明した。実施例２およびその２つの変形例において心電図が生成されるまでの手順は次の通りである。【０１４１】
［心電測定方法］
実施例２およびその２つの変形例に係る心電システム１００Ｂ、１００Ｃ、１００Ｄによって被検者１５０の心電図を生成するまでの手順を示すと次のようになる。【０１４２】
被検者１５０の胸部と四肢の心電信号を取得する段階と、
被検者１５０の四肢の心電信号の内、右鎖骨上、左鎖骨下、左前腸骨棘または左肋骨弓下端部の心電信号から無関電極の電位を生成する段階と、
胸部の心電信号の電位と無関電極の電位とから求めた胸部の誘導信号を無線通信により送信する段階と、
四肢の心電信号の電位から求めた四肢の誘導信号を無線通信により送信する段階と、
送信された前記胸部の誘導信号と前記四肢の誘導信号とに基づいて心電図を生成する段階と、を含む。【０１４３】
そして、心電図を生成する段階は、
被検者１５０の心電図を作成するため、いずれかの測定電極の脱落を考慮して不特定多数の人から求めた平均ウエイト、および、被検者１５０の心電図を作成するため、いずれかの測定電極の脱落を考慮して被検者１５０から求めた最適ウエイトを準備する段階と、被検者１５０の最適ウエイトがあれば当該最適ウエイトを用いて被検者固有の心電図を生成する一方、被検者１５０の最適ウエイトがなければ前記平均ウエイトを用いて被検者１５０の心電図を生成する段階と、を含む。
【実施例３】
【０１４４】
（心電システムを構成する衣服）
図２２は、実施例３に係る心電システム１００Ｅを構成する衣服の構成図であり、図２３は、衣服の取付孔を利用して胸部および四肢の測定電極を取り付けた状態を示す図である。【０１４５】
実施例３では、衣服としてＴシャツ５００を用いている。しかし、衣服としてはＴシャツ以外にＹシャツ、ポロシャツなどを用いることもできる。図２２に示すように、実施例３の心電システムでは、アクティブ測定電極２００Ａ−２００Ｆ、２００Ｈ、２００Ｊおよびパッシブ測定電極２００Ｇ、２００Ｉを被検者１５０自身で装着できるようにする。このため、図２２に示すように、一般的なＴシャツにアクティブ測定電極２００Ａ−２００Ｆの取り付け位置を示す取付孔５１０Ａ−５１０Ｆおよびパッシブ測定電極２００Ｇ、２００Ｉおよびアクティブ測定電極２００Ｈ、２００Ｊの取り付け位置を示す取付孔５１０Ｇ−５１０Ｊ（図中円で囲まれた部分）を開口してある。取付孔５１０Ａ−５１０Ｊの開口径は、アクティブ測定電極２００Ａ−２００Ｆ、２００Ｈ、２００Ｊおよびパッシブ測定電極２００Ｇ、２００Ｉの大きさと同じかそれよりも大きい。【０１４６】
Ｔシャツ５００に開口する取付孔５１０Ａ−５１０Ｊは、被検者１５０の最適な心電信号を取得するために、採寸により被検者１５０の固有な位置に配置する。アクティブ測定電極２００Ａ−２００Ｆ、２００Ｈ、２００Ｊおよびパッシブ測定電極２００Ｇ、２００Ｉの最適な位置は被検者１５０によって異なる。そのため、その被検者１５０にとって最適な位置に、胸部および四肢の、アクティブ測定電極２００Ａ−２００Ｆ、２００Ｈ、２００Ｊおよびパッシブ測定電極２００Ｇ、２００Ｉが取り付けられるように、取付孔５１０Ａ−５１０Ｊの位置が決められる。取付孔５１０Ａ−５１０Ｊは、被検者自身で胸部および四肢の、アクティブ測定電極２００Ａ−２００Ｆ、２００Ｈ、２００Ｊおよびパッシブ測定電極２００Ｇ、２００Ｉを装着するときのガイドとなる。【０１４７】
図２３に示すように、Ｔシャツ５００には、ウイルソンターミナル１８０が設けられる。ウイルソンターミナル１８０の機能は前述の通りである。【０１４８】
実施例３では、被検者１５０がＴシャツ５００を着て、Ｔシャツ５００に設けられている取付孔５１０Ａ−５１０Ｊに、胸部および四肢のアクティブ測定電極２００Ａ−２００Ｆ、２００Ｈ、２００Ｊおよびパッシブ測定電極２００Ｇ、２００Ｉを取り付ける。そして、ウイルソンターミナル１８０と、それぞれの胸部および四肢の、アクティブ測定電極２００Ａ−２００Ｆ、２００Ｈ、２００Ｊおよびパッシブ測定電極２００Ｇ、２００Ｉ相互間を接続する。これだけで、図１６に示した、実施例２の心電システム１００Ｂが実現できる。【０１４９】
実施例３では、胸部および四肢の、アクティブ測定電極２００Ａ−２００Ｆ、２００Ｈ、２００Ｊおよびパッシブ測定電極２００Ｇ、２００Ｉの装着のガイドとして、Ｔシャツ５００を用いている。その他、心電システムの動作などは、実施例２に係る心電システム１００Ｂ（図１４参照）と同一である。【０１５０】
このように、実施例３に係る心電システム１００Ｅによれば、被検者１５０は、Ｔシャツ５００を着て、そのＴシャツ５００に開口されている取付孔５１０Ａ−５１０Ｊに、それぞれ該当する胸部および四肢の、アクティブ測定電極２００Ａ−２００Ｆ、２００Ｈ、２００Ｊおよびパッシブ測定電極２００Ｇ、２００Ｉを装着するだけで、胸部および四肢のアクティブ測定電極２００Ａ−２００Ｆ、２００Ｈ、２００Ｊおよびパッシブ測定電極２００Ｇ、２００Ｉの取り付けが終わる。なお、１２誘導心電図を採る場合の電極の正確な装着には医学教育訓練を受ける必要があるが、Ｔシャツ５００があれば医学教育訓練を受ける必要なない。したがって、本実施例より、１２誘導心電図の測定のために病院に出向かなくとも、家庭で１２誘導心電図の測定ができるようになる。【０１５１】
［実施例３の変形例］
（心電システムを構成する衣服）
図２４は、実施例３に係る心電システム１００Ｆの変形例を示す図である。この変形例では、衣服としてＴシャツ５００Ａを用いている。Ｔシャツ５００Ａは、６つの取付孔５１０Ｂ、５１０Ｄ、５１０Ｇ−５１０Ｊが開口され、それぞれ、アクティブ測定電極２００Ｂ、２００Ｄ、２００Ｈ、２００Ｊおよびパッシブ測定電極２００Ｇ、２００Ｉが取り付けられる。【０１５２】
実施例３に係る心電システムの変形例では、被検者１５０がＴシャツ５００を着て、Ｔシャツ５００に設けられている取付孔５１０Ｂ、５１０Ｄ、５１０Ｇ−５１０Ｊにアクティブ測定電極２００Ｂ、２００Ｄ、２００Ｈ、２００Ｊおよびパッシブ測定電極２００Ｇ、２００Ｉを取り付ける。そして、ウイルソンターミナル１８０とそれぞれの胸部および四肢のアクティブ測定電極２００Ｂ、２００Ｄ、２００Ｈ、２００Ｊおよびパッシブ測定電極２００Ｇ相互間を接続する。これだけで、図１８に示した、実施例２の変形例に係る心電システム１００Ｃが実現できる。【０１５３】
実施例３の変形例では、胸部および四肢のアクティブ測定電極２００Ｂ、２００Ｄ、２００Ｈ、２００Ｊおよびパッシブ測定電極２００Ｇ、２００Ｉの装着のガイドとして、Ｔシャツ５００Ａを用いている。その他、心電システムの動作などは、実施例２の変形例に係る心電システム１００Ｃ（図１８参照）と同一である。【０１５４】
このように、実施例３の変形例に係る心電システム１００Ｆによれば、４誘導心電図の測定のために病院に出向かなくとも、家庭で４誘導心電図の測定が簡単にできるようになる。なお、上記の例ではＶ２、Ｖ４誘導部位を使っているが、もちろんＶ１、Ｖ３など、他の胸部誘導部位を用いて実施することもできる。
【実施例４】
【０１５５】
（心電システムの構成）
図２５は、実施例４に係る心電システム１００Ｇの構成図である。実施例４では、アクティブ測定電極２００Ａ−２００Ｆは、Ｔシャツ５００Ｂの取付孔５１０Ａ−５１０Ｆを利用して取り付け、パッシブ測定電極２００Ｇ、２００Ｉおよびアクティブ測定電極２００Ｈ、２００Ｊは、椅子４００に配置している。アクティブ測定電極２００Ａ−２００Ｆ、２００Ｈ、２００Ｊとパッシブ測定電極２００Ｇ、２００Ｉからの心電信号は無線送信により心電計本体３００に送信される。心電計本体３００は受信した心電信号を用いて被検者１５０の心電図を生成する。【０１５６】
図２５に示すように、Ｔシャツ５００Ｂには、ウイルソンターミナル１８０が設けられる。ウイルソンターミナル１８０の機能は前述の通りである。【０１５７】
実施例４に係る心電システム１００Ｇでは、被検者１５０がＴシャツ５００Ｂを着て、Ｔシャツ５００Ｂに設けられている取付孔５１０Ａ−５１０Ｆにアクティブ測定電極２００Ａ−２００Ｆを取り付ける。そして、Ｔシャツ５００Ｂのウイルソンターミナル１８０とそれぞれのアクティブ測定電極２００Ａ−２００Ｆ相互間を接続し、Ｔシャツ５００Ｂと椅子４００のウイルソンターミナル１８０を相互に接続する。そして、椅子４００に座り手の平と足の裏をパッシブ測定電極２００Ｇ、２００Ｉおよびアクティブ測定電極２００Ｈ、２００Ｊに接触させる。これだけで、図１５に示した、実施例１の変形例に係る心電システム１００Ａが実現できる。【０１５８】
実施例４では、アクティブ測定電極２００Ａ−２００Ｆの装着のガイドとして、Ｔシャツ５００Ｂを用いている。その他、心電システムの動作などは、実施例１の変形例に係る心電システム１００Ａ（図１５参照）と同一である。【０１５９】
実施例４に係る心電システム１００Ｇによれば、１２誘導心電図の測定のために病院に出向かなくとも、家庭で１２誘導心電図の測定ができるようになる。また、椅子４００に座って１２誘導心電図の測定ができるので、被検者１５０は、よりリラックスした状態で心電図を採ることができる。【０１６０】
［実施例４の変形例］
（心電システムの構成）
図２６は、実施例４に係る心電システム１００Ｇの変形例を示す図である。実施例４の変形例では、４誘導心電図を採るものである。心電システム１００Ｈのアクティブ測定電極２００Ｂ、２００Ｄは、Ｔシャツ５００Ｃの取付孔５１０Ｂ、５１０Ｄを利用して取り付ける。パッシブ測定電極２００Ｇ、２００Ｉおよびアクティブ測定電極２００Ｈ、２００Ｊは、椅子４００に配置している。アクティブ測定電極２００Ｂ、２００Ｄ、２００Ｈ、２００Ｊからの心電信号は無線送信により心電計本体３００に送信される。心電計本体３００は受信した心電信号を用いて被検者１５０の心電図を生成する。【０１６１】
この実施例の場合でも、実施例４に係る心電システム１００Ｇと同様に、被検者１５０がＴシャツ５００Ｃを着て、そのＴシャツ５００Ｃに開口されている取付孔５１０Ｂ、５１０Ｄにアクティブ測定電極２００Ｂ、２００Ｄを取り付ける。そして、被検者１５０が椅子４００に座って手の平と足の裏をパッシブ測定電極２００Ｇ、２００Ｉおよびアクティブ測定電極２００Ｈ、２００Ｊに接触させるだけで、４誘導心電図を採ることができる。【０１６２】
この場合の心電システムの動作は、実施例２に係る変形例の心電システム１００Ｃ（図１８参照）と同一である。そのため、被検者は心電図を採るために病院に行く必要がなく、自宅で気楽に測定できる。なお、上記の例ではＶ２、Ｖ４誘導部位を使っているが、もちろんＶ１、Ｖ３など、他の胸部誘導部位を用いて実施することもできる。【０１６３】
図２７は、実施例４およびその変形例に係る心電システムの測定イメージを示す図である。図２５、図２６に示した、実施例４および実施例４の変形例では、図２７に示すように、被検者１５０は、椅子４００に座って、あたかもテレビを見ているかのような状態で、心電計本体３００のディスプレイ３７０を見ながら、心電図を採ることができる。このため、家庭内でも、リラックスした状態で心電図を採ることができる。
【実施例５】
【０１６４】
図２８は、実施例５に係る心電システム１００Ｉの構成図である。実施例５に係る心電システム１００Ｉは、体表面マッピング心電図を得るものである。【０１６５】
図２８に示すように、実施例５に係る心電システム１００Ｉにおいては、まず、被検者１５０がベッド１７０に横たわる。次に、測定者によって両手首、両足首の４か所に、被検者１５０の四肢の心電信号を取得するパッシブ測定電極２００Ｇ、２００Ｉおよびアクティブ測定電極２００Ｈ、２００Ｊを取り付ける。さらに、胸部および腹部の所定の２４か所に、被検者１５０の心電信号を取得するアクティブ測定電極２００−１〜２００−２４を取り付ける。被検者１５０の右腕、左腕、左足に取り付けたパッシブ測定電極２００Ｇおよびアクティブ測定電極２００Ｈ、２００Ｊに接続して無関電極を形成するウイルソンターミナル１８０を設ける。ウイルソンターミナル１８０の入力部にパッシブ測定電極２００Ｇおよびアクティブ測定電極２００Ｈ、２００Ｊが接続され、ウイルソンターミナル１８０の出力部にアクティブ測定電極２００−１〜２００−２４が接続される。【０１６６】
アクティブ測定電極２００Ｈ、２００Ｊは、パッシブ測定電極２００Ｇ、２００Ｉおよびアクティブ測定電極２００Ｈ、２００Ｊが取得した四肢の心電信号の電位から求めた四肢の誘導信号を無線通信により送信する。アクティブ測定電極２００−１〜２００−２４は、アクティブ測定電極２００−１〜２００−２４が取得した心電信号の電位とウイルソンターミナル１８０の無関電極の電位とから求めた胸部の誘導信号を無線通信により送信する。心電計本体３００Ａは、アクティブ測定電極２００−１〜２００−２４が送信した胸部の誘導信号と、アクティブ測定電極２００Ｈ、２００Ｊが送信した四肢の誘導信号と、に基づいて図示するような体表面マッピング心電図を生成する。【０１６７】
図２９は、図２８の心電システムを構成する測定電極の接続図である。【０１６８】
アクティブ測定電極２００−１は、アクティブ測定電極２００−１の貼付電極２５０から接続部２６０を介して心電信号の電位Ｖ１を入力する。そして、アクティブ測定電極２００−１の入力端子２２５からウイルソンターミナル１８０が出力する心電信号の電位ＷＣＴを入力する。ここで、ウイルソンターミナル１８０が出力する心電信号の電位は、右手首のパッシブ測定電極２００Ｇが取得する心電信号の電位ＶＲと、左手首のアクティブ測定電極２００Ｈが取得する心電信号の電位ＶＬと、左足首のアクティブ測定電極２００Ｊが取得する心電信号の電位ＶＦとの和を３で割った値、すなわち、（ＶＲ＋ＶＬ＋ＶＦ）／３の値である。アクティブ測定電極２００−１は、Ｖ１−ＷＣＴを演算し、その結果を胸部の誘導信号として無線送信する。【０１６９】
同様に、アクティブ測定電極２００−２は、アクティブ測定電極２００−２の貼付電極２５０から接続部２６０を介して心電信号の電位Ｖ２を入力し、アクティブ測定電極２００−２の入力端子２２５からウイルソンターミナル１８０が出力する心電信号の電位ＷＣＴを入力する。アクティブ測定電極２００−２は、Ｖ２−ＷＣＴを演算し、その結果を胸部の誘導信号として無線送信する。以下、アクティブ測定電極２００−３〜２００−２４も同様にして、それぞれが演算した結果を、胸部の誘導信号として無線送信する。【０１７０】
次に、パッシブ測定電極２００Ｇ、２００Ｉ、アクティブ測定電極２００Ｈ、２００Ｊは次のように動作する。パッシブ測定電極２００Ｇは、パッシブ測定電極２００Ｇの貼付電極２５０から接続部２６０を介して心電信号の電位ＶＲを入力し、パッシブ測定電極２００Ｇの出力端子２３０からアクティブ測定電極２００Ｈおよびアクティブ測定電極２００Ｊに心電信号の電位ＶＲを出力する。【０１７１】
アクティブ測定電極２００Ｈは、アクティブ測定電極２００Ｈの貼付電極２５０から接続部２６０を介して心電信号の電位ＶＬを入力し、パッシブ測定電極２００Ｇの入力端子２２５からパッシブ測定電極２００Ｇから出力された心電信号の電位ＶＲを入力する。アクティブ測定電極２００Ｈは、ＶＬ−ＶＲを演算し、その結果を四肢の誘導信号として無線送信する。【０１７２】
また、アクティブ測定電極２００Ｈは、出力端子２３０、２３２からウイルソンターミナル１８０に心電信号の電位ＶＬとＶＲとを出力する。【０１７３】
パッシブ測定電極２００Ｉは、アクティブ測定電極２００Ｈの貼付電極２５０から接続部２６０を介して心電信号の電位を、胸部および四肢のアクティブ測定電極２００−１〜２００−２４、２００Ｈ、２００Ｊおよびパッシブ測定電極２００Ｇのアース端子２３５に出力する。この電位はグランド電位（ＧＮＤ）となる。【０１７４】
アクティブ測定電極２００Ｊは、アクティブ測定電極２００Ｊの貼付電極２５０から接続部２６０を介して心電信号の電位ＶＦを入力し、アクティブ測定電極２００Ｊの入力端子２２５からパッシブ測定電極２００Ｇから出力された心電信号の電位ＶＲを入力する。アクティブ測定電極２００Ｊは、ＶＦ−ＶＲを演算し、その結果を四肢の誘導信号として無線送信する。【０１７５】
また、アクティブ測定電極２００Ｊは、出力端子２３０、２３２からウイルソンターミナル１８０に心電信号の電位ＶＦとＶＲとを出力する。【０１７６】
心電計本体３００Ａは、四肢および胸部のアクティブ測定電極２００−１〜２００−２４、２００Ｈ、２００Ｊから送信された心電信号を用いて図示するような体表面マッピング心電図を生成する。体表面マッピング心電図の生成方法は従来から一般的に用いられている方法を用いている。体表面マッピング心電図は、心臓の周辺の電位の大きさを視覚的に見ることができるようにしたものである。このため、体表面マッピング心電図に表示された電位の分布状態を見ることで、心臓の異常を容易に発見することができる。【０１７７】
また、以上の実施例では体表面マッピング心電図の生成に胸部２４電極を用いた場合を一例として説明したが、体表面マッピング心電図の生成は胸部２４電極に限られず、たとえば、６電極、６４電極、１２８電極など、２４電極よりも少ないまたは多い電極を用いて行うこともできる。
【実施例６】
【０１７８】
（心電システムを構成する衣服）
図３０は、実施例６に係る心電システム１００Ｊを構成する衣服の構成図である。実施例６では、Ｔシャツ５００Ｄの内側にアクティブ測定電極２００Ａ−２００Ｆ、２００Ｈ、２００Ｊ、パッシブ測定電極２００Ｇ、２００Ｉ、およびウイルソンターミナル１８０を埋め込んでいる。【０１７９】
実施例６では、衣服としてＴシャツ５００Ｄを用いている。しかし、実施例６では実施例３とは異なり、Ｔシャツ５００Ｄに取付孔は開口していない。実施例６では衣服としてＴシャツを例示しているが、Ｔシャツ以外にＹシャツ、ポロシャツなどを用いることもできる。【０１８０】
図３０に示すように、Ｔシャツ５００Ｄの内側には、アクティブ測定電極２００Ａ−２００Ｆ、２００Ｈ、２００Ｊおよびパッシブ測定電極２００Ｇ、２００Ｉ、およびウイルソンターミナル１８０が、Ｔシャツ５００Ｄの生地に埋め込まれるように配置されている。【０１８１】
アクティブ測定電極２００Ａ−２００Ｆ、２００Ｈ、２００Ｊの構成は、図１７Ａに示す、実施例２で説明したアクティブ測定電極の構成と類似している。また、パッシブ測定電極２００Ｇ、２００Ｉの構成は、図１７Ｂに示す、実施例２で説明したパッシブ測定電極の構成と類似している。【０１８２】
実施例６では、アクティブ測定電極２００Ａ−２００Ｆ、２００Ｈ、２００Ｊおよびパッシブ測定電極２００Ｇ、２００Ｉのそれぞれを構成する貼付電極の構成が、実施例１から実施例５とは異なる。【０１８３】
（貼付電極の構成）
図３１Ａは、アクティブおよびパッシブ測定電極を構成する貼付電極の側面図である。また、図３１Ｂは、アクティブおよびパッシブ測定電極を構成する貼付電極の底面図である。【０１８４】
図３１Ａおよび図３１Ｂに示すように、貼付電極２５０は、図１７Ａおよび図１７Ｂに示したような、制御通信装置２１０および２１０ｂの凹状の入力端子２２０を電気的に接続する凸状の接続部２６０と、接続部２６０の一方端に取り付けた電極板２７０とを有する。実施例６の貼付電極では、電極板２７０の表面に導電繊維布状電極２８５を貼り付けている。導電繊維布状電極２８５は、導電性の高分子を繊維にコーティングして形成したものであり、柔軟性、伸縮性、通気性および優れた生体親和性を有している。【０１８５】
貼付電極２５０は、図１７Ａおよび図１７Ｂに示した、制御通信装置２１０および２１０ｂと接続された状態で、つまり、アクティブ測定電極２００Ａ−２００Ｆ、２００Ｈ、２００Ｊおよびパッシブ測定電極２００Ｇ、２００Ｉとして、Ｔシャツ５００Ｄの内側に埋め込むように配置される。アクティブ測定電極２００Ａ−２００Ｆ、２００Ｈ、２００Ｊおよびパッシブ測定電極２００Ｇ、２００Ｉの配置位置は、１２誘導心電図を採るための電極の配置位置と同一である。【０１８６】
図３２は、衣服の内側に胸部および四肢の測定電極が配置された状態を示す図である。図３２に示すように、実施例６の心電システム１００Ｊでは、アクティブ測定電極２００Ａ−２００Ｆ、２００Ｈ、２００Ｊおよびパッシブ測定電極２００Ｇ、２００Ｉ、さらにウイルソンターミナル１８０をＴシャツ５００Ｄの内側にあらかじめ埋め込んでおく。また、アクティブ測定電極２００Ａ−２００Ｆ、２００Ｈ、２００Ｊ、パッシブ測定電極２００Ｇ、２００Ｉ、ウイルソンターミナル１８０は、Ｔシャツ５００Ｄの繊維に縫い込んだ導電繊維糸（図示点線）を用いて相互に接続する。導電繊維糸は、繊維素材に導電性の高分子をコーティングして固定化することで形成する。【０１８７】
アクティブ測定電極２００Ａは、貼付電極２５０Ａと制御通信装置２１０とが一体化されて構成され、Ｔシャツ５００Ｄの図示の位置に埋め込まれる。アクティブ測定電極２００Ｂは、貼付電極２５０Ｂと制御通信装置２１０とが一体化されて構成され、Ｔシャツ５００Ｄの図示の位置に埋め込まれる。アクティブ測定電極２００Ｃ、２００Ｄ、２００Ｅ、２００Ｆ、２００Ｈ、２００Ｊも同様である。また、パッシブ測定電極２００Ｇは、貼付電極２５０Ｇと制御通信装置２１０ａとが一体化されて構成され、Ｔシャツ５００Ｄの図示の位置に埋め込まれる。パッシブ測定電極２５０Ｉも同様である。【０１８８】
Ｔシャツ５００Ｄに取り付ける、アクティブ測定電極２００Ａ−２００Ｆ、２００Ｈ、２００Ｊおよびパッシブ測定電極２００Ｇ、２００Ｉは、被検者１５０の最適な心電信号を取得するために、採寸により被検者１５０の固有な位置に配置する。アクティブ測定電極２００Ａ−２００Ｆ、２００Ｈ、２００Ｊおよびパッシブ測定電極２００Ｇ、２００Ｉの最適な位置は被検者１５０によって異なるからである。【０１８９】
図３２に示すように、Ｔシャツ５００Ｄに、あらかじめアクティブ測定電極２００Ａ−２００Ｆ、２００Ｈ、２００Ｊ、パッシブ測定電極２００Ｇ、２００Ｉ、およびウイルソンターミナル１８０を配置し、これらを導電繊維糸で相互に接続しておくことによって、被検者１５０は、Ｔシャツ５００Ｄを着るだけで、図２３に示した、実施例３の心電システム１００Ｅが実現できる。【０１９０】
実施例６では、胸部および四肢の、アクティブ測定電極２００Ａ−２００Ｆ、２００Ｈ、２００Ｊ、パッシブ測定電極２００Ｇ、２００Ｉおよびウイルソンターミナル１８０の装着を簡略化するために、Ｔシャツ５００Ｄを用いている。その他、心電システムの動作などは、実施例２に係る心電システム１００Ｂ（図１６参照）と同一である。【０１９１】
このように、実施例６に係る心電システム１００Ｊによれば、被検者１５０は、Ｔシャツ５００Ｄを着るだけで、心電図測定の準備が完了する。なお、１２誘導心電図を採る場合の電極の正確な装着には医学教育訓練を受ける必要があるが、Ｔシャツ５００Ｄがあれば医学教育訓練を受ける必要なない。したがって、本実施例より、１２誘導心電図の測定のために病院に出向かなくとも、家庭で１２誘導心電図の測定ができるようになる。また、導電性ゲルを用いて貼付電極を取り付ける必要もないので、被検者１５０に負担をかけることなく、日常の心電図をモニタできるようになる。【０１９２】
［実施例６の変形例］
図３３は、実施例６に係る心電システムの変形例を示す図である。この変形例では、衣服としてＴシャツ５００Ｅを用いている。Ｔシャツ５００Ｅは、アクティブ測定電極２００Ｂ、２００Ｄ、２００Ｈ、２００Ｊおよびパッシブ測定電極２００Ｇ、２００Ｉが取り付けられる。【０１９３】
実施例６に係る心電システムの変形例でも、被検者１５０がＴシャツ５００Ｅを着るだけで、図１８に示した、実施例２の変形例に係る心電システム１００Ｃと同一の心電システム１００Ｋが実現できる。実施例６の変形例では、胸部および四肢のアクティブ測定電極２００Ｂ、２００Ｄ、２００Ｈ、２００Ｊ、パッシブ測定電極２００Ｇ、２００Ｉおよびウイルソンターミナル１８０の装着を簡略化するために、Ｔシャツ５００Ｅを用いている。その他、心電システムの動作などは、実施例２の変形例に係る心電システム１００Ｃ（図１８参照）と同一である。【０１９４】
このように、実施例６の変形例に係る心電システム１００Ｋによれば、４誘導心電図の測定のために病院に出向かなくとも、家庭で４誘導心電図の測定が簡単にできるようになる。なお、上記の例ではＶ２、Ｖ４誘導部位を使っているが、もちろんＶ１、Ｖ３など、他の胸部誘導部位を用いて実施することもできる。
【実施例７】
【０１９５】
（心電システムの構成）
図３４は、実施例７に係る心電システム１００Ｌの構成図である。実施例７では、アクティブ測定電極２００Ａ−２００Ｆおよびウイルソンターミナル１８０は、Ｔシャツ５００Ｆに埋め込んで配置し、パッシブ測定電極２００Ｇ、２００Ｉおよびアクティブ測定電極２００Ｈ、２００Ｊは、椅子４００に配置している。実施例７に係る心電システム１００Ｌはウェアラブルな心電計である。アクティブ測定電極２００Ａ−２００Ｆ、２００Ｈ、２００Ｊとパッシブ測定電極２００Ｇ、２００Ｉからの心電信号は無線送信により心電計本体３００に送信される。心電計本体３００は受信した心電信号を用いて被検者１５０の心電図を生成する。【０１９６】
実施例７に係る心電システム１００Ｌでは、被検者１５０がＴシャツ５００Ｆを着て、Ｔシャツ５００Ｆと椅子４００のウイルソンターミナル１８０を相互に接続する。そして、椅子４００に座り手の平と足の裏をパッシブ測定電極２００Ｇ、２００Ｉおよびアクティブ測定電極２００Ｈ、２００Ｊに接触させる。これだけで、図２５に示した、実施例４に係る心電システム１００Ｇが実現できる。心電システムの動作などは、実施例１の変形例に係る心電システム１００Ａ（図１５参照）と同一である。【０１９７】
実施例７に係る心電システム１００Ｌによれば、１２誘導心電図の測定のために病院に出向かなくとも、家庭で１２誘導心電図の測定ができるようになる。また、椅子４００に座って１２誘導心電図の測定ができるので、被検者１５０は、よりリラックスした状態で心電図を採ることができる。【０１９８】
［実施例７の変形例］
（心電システムの構成）
図３５は、実施例７に係る心電システム１００Ｌの変形例を示す図である。実施例７の変形例は、４誘導心電図を採るものである。心電システム１００Ｍのアクティブ測定電極２００Ｂ、２００Ｄは、Ｔシャツ５００Ｇに埋め込んで配置する。実施例７の変形例に係る心電システム１００Ｍもウェアラブルな心電計である。パッシブ測定電極２００Ｇ、２００Ｉおよびアクティブ測定電極２００Ｈ、２００Ｊは、椅子４００に配置している。アクティブ測定電極２００Ｂ、２００Ｄ、２００Ｈ、２００Ｊからの心電信号は無線送信により心電計本体３００に送信される。心電計本体３００は受信した心電信号を用いて被検者１５０の心電図を生成する。【０１９９】
この実施例の場合でも、実施例４に係る心電システム１００Ｇと同様に、被検者１５０がＴシャツ５００Ｃを着て、Ｔシャツ５００Ｇと椅子４００のウイルソンターミナル１８０を相互に接続する。そして、被検者１５０が椅子４００に座って手の平と足の裏をパッシブ測定電極２００Ｇ、２００Ｉおよびアクティブ測定電極２００Ｈ、２００Ｊに接触させる。これだけで、４誘導心電図を採る、図２６に示した、実施例４の変形例に係る心電システム１００Ｈが実現できる。この場合の心電システムの動作は、実施例４の変形例に係る心電システム１００Ｈ（図２６参照）と同一である。【０２００】
実施例７の変形例に係る心電システム１００Ｍによれば、被検者１５０は心電図を採るために病院に行く必要がなく、自宅で気楽に測定できる。なお、上記の例ではＶ２、Ｖ４誘導部位を使っているが、もちろんＶ１、Ｖ３など、他の胸部誘導部位を用いて実施することもできる。
【実施例８】
【０２０１】
図３６は、実施例８に係る心電システム１００Ｎの構成図である。実施例８に係る心電システム１００Ｎは、図２８に示した実施例５と同様、体表面マッピング心電図を得るものである。【０２０２】
実施例８では、被検者１５０が着るＴシャツ５００Ｈに、被検者１５０の心電信号を取得するアクティブ測定電極２００−１〜２００−２４を配置している。【０２０３】
図３６に示すように、実施例８に係る心電システム１００Ｎにおいては、まず、被検者１５０がＴシャツ５００Ｈを着て、ベッド１７０に横たわる。次に、測定者によって両手首、両足首の４か所に、被検者１５０の四肢の心電信号を取得するパッシブ測定電極２００Ｇ、２００Ｉおよびアクティブ測定電極２００Ｈ、２００Ｊを取り付ける。次に、被検者１５０の右腕、左腕、左足に取り付けたパッシブ測定電極２００Ｇおよびアクティブ測定電極２００Ｈ、２００Ｊに接続して無関電極を形成するウイルソンターミナル１８０を設ける。ウイルソンターミナル１８０の入力部にパッシブ測定電極２００Ｇおよびアクティブ測定電極２００Ｈ、２００Ｊが接続され、ウイルソンターミナル１８０の出力部にアクティブ測定電極２００−１〜２００−２４が接続される。【０２０４】
アクティブ測定電極２００Ｈ、２００Ｊは、パッシブ測定電極２００Ｇ、２００Ｉおよびアクティブ測定電極２００Ｈ、２００Ｊが取得した四肢の心電信号の電位から求めた四肢の誘導信号を無線通信により送信する。アクティブ測定電極２００−１〜２００−２４は、アクティブ測定電極２００−１〜２００−２４が取得した心電信号の電位とウイルソンターミナル１８０の無関電極の電位とから求めた胸部の誘導信号を無線通信により送信する。心電計本体３００Ａは、アクティブ測定電極２００−１〜２００−２４が送信した胸部の誘導信号と、アクティブ測定電極２００Ｈ、２００Ｊが送信した四肢の誘導信号と、に基づいて図示するような体表面マッピング心電図を生成する。【０２０５】
体表面マッピング心電図の生成方法は従来から一般的に用いられている方法を用いている。体表面マッピング心電図は、心臓の周辺の電位の大きさを視覚的に見ることができるので、体表面マッピング心電図に表示された電位の分布状態を見ることで、心臓の異常を容易に発見することができる。【０２０６】
また、以上の実施例では体表面マッピング心電図の生成に胸部２４電極を用いた場合を一例として説明したが、体表面マッピング心電図の生成は胸部２４電極に限られず、たとえば、胸部３６電極など、２４電極よりも多くの電極を用いて行うこともできる。【０２０７】
以上のように、本発明に係る心電システム、心電測定電極、心電測定方法によれば、アクティブ測定電極が生成した誘導信号を無線通信によって送信している。このため、従来の心電システムで問題となっていた、測定電極に長く、太く、重たいケーブルを繋がなければならない、ということを解決することができる。したがって、測定電極の取り回しが良くなるため、被検者の心電図が容易に採れる。【０２０８】
また、本発明に係る心電システム、心電測定電極、心電測定方法によれば、アクティブ測定電極２００Ａ−２００Ｆが脱落、または装着が不完全な場合であっても、心電図を採ることができる。このため、在宅医療などのための１２誘導心電図の応用は容易になる。【０２０９】
なお、本発明に係る心電システム、心電測定電極、心電測定方法の発明の技術的範囲は、上記の実施例に記載されている範囲に限定されるものではなく、その技術的範囲を逸脱しない範囲内で、変形された多くの実施例が含まることは言うまでもない。
【符号の説明】
【０２１０】
１００、１００Ａ−１００Ｎ  心電システム、
１５０  被検者、
１７０  ベッド、
１８０  ウイルソンターミナル、
２００Ａ−２００Ｆ、２００Ｈ、２００Ｊ  アクティブ測定電極、
２００Ｇ、２００Ｉ  パッシブ測定電極、
２００−１〜２００−２４  アクティブ測定電極、
２１０、２１０ａ、２１０ｂ  制御通信装置、
２２０、２２５  入力端子、
２３０、２３２  出力端子、
２３５  アース端子、
２４０  心電図取得ユニット、
２４１  増幅部、
２４２  Ａ／Ｄ変換部、
２４３  メモリ、
２４４  ＣＰＵ、
２４５  無線送信ユニット、
２４６  バッテリ、
２５０、２５０Ａ−２５０Ｊ  貼付電極、
２６０  接続部、
２７０  電極板、
２８０  導電ゲル、
２８５  導電繊維布状電極、
３００、３００Ａ  心電計本体、
３１０  受信部、
３２０  平均ウエイト記憶部、
３３０  最適ウエイト記憶部、
３４０  脱落誘導ウエイト記憶部、
３５０  被検者情報記憶部、
３６０  制御部、
３７０  ディスプレイ、
４００  椅子、
４１０  肘掛部、
４２０  足置部、
５００、５００Ａ−５００Ｇ  Ｔシャツ。
【図１】
2019163028.tif 000006
【図２Ａ】
2019163028.tif 000007
【図２Ｂ】
2019163028.tif 000008
【図３Ａ】
2019163028.tif 000009
【図３Ｂ】
2019163028.tif 000010
【図４】
2019163028.tif 000011
【図５】
2019163028.tif 000012
【図６】
2019163028.tif 000013
【図７】
2019163028.tif 000014
【図８】
2019163028.tif 000015
【図９】
2019163028.tif 000016
【図１０】
2019163028.tif 000017
【図１１】
2019163028.tif 000018
【図１２】
2019163028.tif 000019
【図１３】
2019163028.tif 000020
【図１４】
2019163028.tif 000021
【図１５】
2019163028.tif 000022
【図１６】
2019163028.tif 000023
【図１７Ａ】
2019163028.tif 000024
【図１７Ｂ】
2019163028.tif 000025
【図１８】
2019163028.tif 000026
【図１９】
2019163028.tif 000027
【図２０】
2019163028.tif 000028
【図２１】
2019163028.tif 000029
【図２２】
2019163028.tif 000030
【図２３】
2019163028.tif 000031
【図２４】
2019163028.tif 000032
【図２５】
2019163028.tif 000033
【図２６】
2019163028.tif 000034
【図２７】
2019163028.tif 000035
【図２８】
2019163028.tif 000036
【図２９】
2019163028.tif 000037
【図３０】
2019163028.tif 000038
【図３１Ａ】
2019163028.tif 000039
【図３１Ｂ】
2019163028.tif 000040
【図３２】
2019163028.tif 000041
【図３３】
2019163028.tif 000042
【図３４】
2019163028.tif 000043
【図３５】
2019163028.tif 000044
【図３６】
2019163028.tif 000045
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
被検者の心電信号を取得する測定電極と、
前記測定電極に接続して無関電極を形成するウイルソンターミナルと、
心電図を生成する心電計本体と、を有し、
前記測定電極は前記心電計本体と無線通信により通信するアクティブ測定電極と、前記アクティブ測定電極および前記ウイルソンターミナルに接続するパッシブ測定電極とを有し、
前記心電計本体は、前記アクティブ測定電極が送信した誘導信号に基づいて前記心電図を生成する心電システム。
【請求項２】
前記アクティブ測定電極は、
前記被検者の前記心電信号を取得する貼付電極と、
前記心電信号を処理する制御通信装置と、を一体化したものであり、
前記制御通信装置は、
前記貼付電極および前記ウイルソンターミナルから前記心電信号を入力する入力端子と、
入力した前記心電信号を用いて前記誘導信号を生成する心電図取得ユニットと、
生成した前記誘導信号を無線により外部に送信する無線送信ユニットと、
を有する請求項１に記載の心電システム。
【請求項３】
前記制御通信装置は、
前記パッシブ測定電極から前記心電信号を入力する入力端子をさらに有する、請求項２に記載の心電システム。
【請求項４】
前記パッシブ測定電極は、
前記被検者の前記心電信号を取得する貼付電極と、
前記心電信号を出力する制御通信装置と、を一体化したものであり、
前記制御通信装置は、
前記貼付電極から前記心電信号を入力する入力端子と、
前記入力端子から入力した前記心電信号を前記アクティブ測定電極または前記ウイルソンターミナルに出力する出力端子と、
を有する請求項１に記載の心電システム。
【請求項５】
前記心電図取得ユニットは、
入力した前記心電信号を増幅する増幅部と、
増幅した後の前記心電信号をデジタル信号に変換するＡ／Ｄ変換部と、
デジタル信号に変換した後の前記心電信号を用いて前記誘導信号を演算するＣＰＵと、
を有する請求項２または３に記載の心電システム。
【請求項６】
前記心電計本体は、
前記アクティブ測定電極が送信した前記誘導信号を受信する受信部と、
前記被検者の前記心電図を作成するため、前記アクティブ測定電極の脱落を考慮して不特定多数の人から求めた平均ウエイトを記憶する平均ウエイト記憶部と、
前記被検者の前記心電図を作成するため、前記アクティブ測定電極の前記脱落を考慮して前記被検者から求めた最適ウエイトを記憶する最適ウエイト記憶部と、
前記受信部が受信している前記誘導信号から前記アクティブ測定電極の前記被検者からの前記脱落を認識し、前記最適ウエイト記憶部に前記被検者から取得した前記最適ウエイトがあれば当該最適ウエイトを用いて前記受信部が受信した前記誘導信号を補間し被検者固有の前記心電図を生成する一方、前記最適ウエイト記憶部に前記被検者から取得した前記最適ウエイトがなければ前記平均ウエイト記憶部にある前記平均ウエイトを用いて前記受信部が受信した前記誘導信号を補間し前記被検者の前記心電図を生成する制御部と、
を有する請求項１に記載の心電システム。
【請求項７】
前記平均ウエイト記憶部は、前記アクティブ測定電極の前記脱落のパターン毎に前記平均ウエイトを記憶し、
前記最適ウエイト記憶部は、前記アクティブ測定電極の前記脱落のパターン毎に前記最適ウエイトを記憶し、
前記制御部は、
前記受信部が受信している前記誘導信号から認識した前記脱落のパターンに応じて、前記平均ウエイトまたは前記最適ウエイトを前記平均ウエイト記憶部または前記最適ウエイト記憶部から取得する請求項６に記載の心電システム。
【請求項８】
前記心電計本体は、
前記被検者の少なくとも患者名、性別、年齢などの被検者情報を記憶する被検者情報記憶部をさらに備え、
前記平均ウエイト記憶部は、前記平均ウエイトを前記性別および年代別に記憶し、
前記制御部は、
前記被検者情報を参照して前記最適ウエイト記憶部から前記被検者の前記最適ウエイトを取得するか、または、前記平均ウエイト記憶部から前記被検者の前記性別および年代に適した前記平均ウエイトを取得するかする請求項７に記載の心電システム。
【請求項９】
前記制御部が生成する前記心電図は、１２誘導心電図、４誘導心電図、３誘導心電図、体表面マッピング心電図のいずれかであり、
前記心電計本体は、前記心電図を表示するディスプレイをさらに有する請求項６に記載の心電システム。
【請求項１０】
前記無線送信ユニットが前記誘導信号を外部に送信するときに用いる無線通信は、赤外線、無線ＬＡＮ、Ｂｌｕｅｔｏｏｔｈ（登録商標）のいずれかにより行われる請求項２に記載の心電システム。
【請求項１１】
さらに、前記被検者が前記心電図の測定時に座る椅子を有し、
前記測定電極は、
前記椅子の肘掛部と足置部とに配置され、
前記ウイルソンターミナルは、前記椅子の内部に埋め込まれ、
前記肘掛部の前記測定電極と前記足置部の前記測定電極のそれぞれに接続して前記無関電極を形成する請求項１に記載の心電システム。
【請求項１２】
前記椅子は、リクライニングが可能であり、
前記足置部は、前記リクライニングの角度に応じて前記被検者の足が置き替えられるように、複数の前記足置部が分割して設けられ、
前記測定電極は、前記複数の前記足置部のそれぞれに配置され、
それぞれの前記足置部に配置されている前記測定電極は、前記リクライニングの角度に応じて使用できる前記測定電極が切り替えられる請求項１１に記載の心電システム。
【請求項１３】
さらに、前記被検者が前記心電図の測定時に座る椅子と、
前記測定電極の取り付け位置を示す取付孔が開口された衣服と、を有し、
前記測定電極の貼付電極は前記被検者が身につけた前記衣服の前記取付孔内に貼り付けられ、
前記測定電極に接続される前記ウイルソンターミナルは前記衣服に取り付けられ、
前記測定電極は、
前記衣服の前記取付孔と、前記椅子の肘掛部と足置部とに配置され、
前記測定電極と接続されている前記ウイルソンターミナルは、前記椅子の内部に埋め込まれ、
前記衣服の前記ウイルソンターミナルの入力部と前記椅子の前記ウイルソンターミナルの出力部とは信号線を介して接続される請求項１に記載の心電システム。
【請求項１４】
前記椅子は、リクライニング可能であり、
前記足置部は、リクライニングの角度に応じて前記被検者の足が置き替えられるように、複数の前記足置部が分割して設けられ、
前記測定電極は、前記複数の前記足置部のそれぞれに配置され、
それぞれの前記足置部に配置されている前記測定電極は、前記リクライニングの角度に応じて使用できる前記測定電極が切り替えられる請求項１３に記載の心電システム。
【請求項１５】
さらに、前記アクティブ測定電極および前記パッシブ測定電極の取り付け位置を示す取付孔が開口された衣服を有し、
前記アクティブ測定電極および前記パッシブ測定電極は前記被検者が身につけた前記衣服の前記取付孔内に配置され、
前記ウイルソンターミナルは前記衣服に取り付けられる請求項１に記載の心電システム。
【請求項１６】
さらに、前記被検者が前記心電図の測定時に座る椅子と、
前記測定電極と前記ウイルソンターミナルとが埋め込まれるように配置された衣服と、を有し、
前記衣服に配置された前記測定電極と前記ウイルソンターミナルとは導電繊維糸により相互に接続され、
前記測定電極は、さらに、前記椅子の肘掛部と足置部とに配置され、
前記測定電極と接続されている前記ウイルソンターミナルは、前記椅子の内部に埋め込まれ、
前記衣服の前記ウイルソンターミナルの入力部と前記椅子の前記ウイルソンターミナルの出力部とは信号線を介して接続される請求項１に記載の心電システム。
【請求項１７】
前記椅子は、リクライニング可能であり、
前記足置部は、リクライニングの角度に応じて前記被検者の足が置き替えられるように、複数の前記足置部が分割して設けられ、
前記測定電極は、前記複数の前記足置部のそれぞれに配置され、
それぞれの前記足置部に配置されている前記測定電極は、前記リクライニングの角度に応じて使用できる前記測定電極が切り替えられる請求項１６に記載の心電システム。
【国際調査報告】
2019163028.tif 000046
2019163028.tif 000047
2019163028.tif 000048
2019163028.tif 000049
2019163028.tif 000050
2019163028.tif 000051
2019163028.tif 000052
2019163028.tif 000053
2019163028.tif 000054
2019163028.tif 000055